(57)【要約】【課題】無線給電やその他の機能を実施可能な接続相手を自動的に選択できる技術を実現する。【解決手段】通信装置は、他の装置から無線で電力を受電可能な受電手段と、前記他の装置から受電した電力で二次電池を充電可能な充電手段と、他の装置と無線通信可能な無線通信手段と、前記無線通信手段により他の装置から受信した情報に基づき、他の装置に送信するための無線信号に含まれる他の装置との間で実施可能な機能情報を設定する設定手段と、前記二次電池の電池残量が所定の閾値以上の場合、前記機能情報を他の装置との間で無線給電を実施しない第１の情報に設定し、前記二次電池の電池残量が所定の閾値に満たない場合、前記機能情報を他の装置との間で無線給電を実施可能な第２の情報に設定するように制御する制御手段と、を有する。【選択図】図４
2018074839.tif 000002
【特許請求の範囲】
【請求項１】
他の装置から無線で電力を受電可能な受電手段と、
前記他の装置から受電した電力で二次電池を充電可能な充電手段と、
他の装置と無線通信可能な無線通信手段と、
前記無線通信手段により他の装置から受信した情報に基づき、他の装置に送信するための無線信号に含まれる他の装置との間で実施可能な機能情報を設定する設定手段と、
前記二次電池の電池残量が所定の閾値以上の場合、前記機能情報を他の装置との間で無線給電を実施しない第１の情報に設定し、
前記二次電池の電池残量が所定の閾値に満たない場合、前記機能情報を他の装置との間で無線給電を実施可能な第２の情報に設定するように制御する制御手段と、を有することを特徴とする通信装置。
【請求項２】
前記所定の閾値は、第１の閾値と、前記第１の閾値よりも大きい第２の閾値とを含み、
前記制御手段は、前記二次電池の電池残量が前記第２の閾値以上の場合、前記機能情報を前記第１の情報に設定し、
前記二次電池の電池残量が前記第２の閾値に満たない場合、前記機能情報を前記第２の情報に設定するように制御することを特徴とする請求項１に記載の通信装置。
【請求項３】
前記制御手段は、前記二次電池の電池残量が前記第２の閾値に満たない場合であっても、非接触給電手段による受電または有線給電手段による受電が可能である場合、前記機能情報を前記第１の情報に設定するように制御することを特徴とする請求項２に記載の通信装置。
【請求項４】
前記二次電池の電池残量が前記第１の閾値に満たない場合、前記制御手段は、前記他の装置または他の給電手段により動作可能な電力を受電可能である場合は、前記設定手段により機能情報の設定を行うように制御することを特徴とする請求項３に記載の通信装置。
【請求項５】
前記二次電池の電池残量が前記第１の閾値に満たない場合、前記制御手段は、前記他の装置または他の給電手段により動作可能な電力を受電可能ではない場合には、前記無線通信手段による無線信号の送信を停止することを特徴とする請求項４に記載の通信装置。
【請求項６】
前記他の装置から受電した電力により前記二次電池の充電が完了した場合、前記制御手段は、前記他の装置からの受電が継続している場合は、前記機能情報を前記第１の情報に設定するように制御することを特徴とする請求項１から５のいずれか１項に記載の通信装置。
【請求項７】
外部からの物理的な刺激入力を検出可能な刺激入力検出手段をさらに有し、
前記制御手段は、前記二次電池の電池残量が所定の閾値以上であっても、前記刺激入力検出手段で刺激入力を検出していない場合には、前記機能情報を前記第１の情報に設定し、
前記刺激入力検出手段で刺激入力を検出した場合、前記機能情報を前記第２の情報に設定することを特徴とする請求項１から６のいずれか１項に記載の通信装置。
【請求項８】
前記機能情報は、他の装置との間で実施可能な機能の種類および当該機能を有効または無効に設定する設定値を含むことを特徴とする請求項１から７のいずれか１項に記載の通信装置。
【請求項９】
装置の動作状態を表示する表示手段をさらに備え、
他の装置から電力を受電することが可能な状態となった場合、前記制御手段は、前記電力の供給を受ける送電装置との位置関係が前記送電装置からの給電効率が高くなるように前記表示手段に誘導表示を行うことを特徴とする請求項１から８のいずれか１項に記載の通信装置。
【請求項１０】
前記二次電池の電池残量が前記所定の閾値に満たない場合に、他の装置または他の給電手段により動作可能な電力を減少させて、前記電力の供給を受ける送電装置との位置関係が前記送電装置からの給電効率が高くなるように誘導する手段をさらに有することを特徴とする請求項１から８のいずれか１項に記載の通信装置。
【請求項１１】
他の装置から無線で電力を受電可能な受電手段と、
前記他の装置から受電した電力で二次電池を充電可能な充電手段と、
他の装置と無線通信可能な無線通信手段と、
外部からの物理的な刺激入力を検出可能な刺激入力検出手段と、
前記無線通信手段により他の装置から受信した情報に基づき、他の装置に送信するための無線信号に含まれる他の装置との間で実施可能な機能情報を設定する設定手段と、
前記刺激入力検出手段で刺激入力を検出していない場合、前記機能情報を他の装置との間で無線給電を実施しない第１の情報に設定し、
前記刺激入力検出手段で刺激入力が検出された場合、前記機能情報を他の装置との間で無線給電を実施可能な第２の情報に設定するように制御する制御手段と、を有することを特徴とする通信装置。
【請求項１２】
前記制御手段は、前記二次電池の電池残量が所定の閾値以上の場合に、前記刺激入力検出手段で刺激入力を検出していない場合、前記機能情報を前記第１の情報に設定し、
前記刺激入力検出手段で刺激入力が検出された場合、前記機能情報を前記第２の情報に設定するように制御することを特徴とする請求項１１に記載の通信装置。
【請求項１３】
前記制御手段は、前記二次電池の電池残量が前記所定の閾値に満たない場合であっても、非接触給電手段による受電または有線給電手段による受電が可能である場合、前記機能情報を前記第１の情報に設定するように制御することを特徴とする請求項１２に記載の通信装置。
【請求項１４】
前記二次電池の電池残量が前記所定の閾値に満たない場合、前記制御手段は、他の装置または他の給電手段により動作可能な電力を受電可能である場合は、前記設定手段により機能情報の設定を行うように制御することを特徴とする請求項１３に記載の通信装置。
【請求項１５】
前記二次電池の電池残量が前記所定の閾値に満たない場合、前記制御手段は、他の装置または他の給電手段により動作可能な電力を受電可能ではない場合は、前記無線通信手段による無線信号の送信を停止することを特徴とする請求項１４に記載の通信装置。
【請求項１６】
前記他の装置から受電した電力により前記二次電池の充電が完了した場合、前記制御手段は、前記他の装置からの受電が継続している場合は、前記機能情報を前記第１の情報に設定するように制御することを特徴とする請求項１１から１５のいずれか１項に記載の通信装置。
【請求項１７】
前記機能情報は、他の装置との間で実施可能な機能の種類および当該機能を有効または無効に設定する設定値を含むことを特徴とする請求項１１から１６のいずれか１項に記載の通信装置。
【請求項１８】
装置の動作状態を表示する表示手段をさらに備え、
他の装置から電力を受電することが可能な状態となった場合、前記制御手段は、前記電力の供給を受ける送電装置との位置関係が前記送電装置からの給電効率が高くなるように前記表示手段に誘導表示を行うことを特徴とする請求項１１から１７のいずれか１項に記載の通信装置。
【請求項１９】
前記二次電池の電池残量が前記所定の閾値に満たない場合に、他の装置または他の給電手段により動作可能な電力を減少させて、前記電力の供給を受ける送電装置との位置関係が前記送電装置からの給電効率が高くなるように誘導する手段をさらに有することを特徴とする請求項１２に記載の通信装置。
【請求項２０】
他の装置から無線で電力を受電可能な受電手段と、
前記他の装置から受電した電力で二次電池を充電可能な充電手段と、
他の装置と無線通信可能な無線通信手段と、を有する通信装置の制御方法であって、
前記無線通信手段により他の装置から受信した情報に基づき、他の装置に送信するための無線信号に含まれる他の装置との間で実施可能な機能情報を設定するステップと、
前記二次電池の電池残量が所定の閾値以上の場合、前記機能情報を他の装置との間で無線給電を実施しない第１の情報に設定し、
前記二次電池の電池残量が所定の閾値に満たない場合、前記機能情報を他の装置との間で無線給電を実施可能な第２の情報に設定するように制御するステップと、を有することを特徴とする通信装置の制御方法。
【請求項２１】
他の装置から無線で電力を受電可能な受電手段と、
前記他の装置から受電した電力で二次電池を充電可能な充電手段と、
他の装置と無線通信可能な無線通信手段と、
外部からの物理的な刺激入力を検出可能な刺激入力検出手段と、を有する通信装置の制御方法であって、
前記無線通信手段により他の装置から受信した情報に基づき、他の装置に送信するための無線信号に含まれる他の装置との間で実施可能な機能情報を設定するステップと、
前記刺激入力検出手段で刺激入力を検出していない場合、前記機能情報を他の装置との間で無線給電を実施しない第１の情報に設定し、
前記刺激入力検出手段で刺激入力が検出された場合、前記機能情報を他の装置との間で無線給電を実施可能な第２の情報に設定するように制御するステップと、を有することを特徴とする通信装置の制御方法。
【請求項２２】
コンピュータを、請求項１から１９のいずれか１項に記載された通信装置の各手段として機能させるためのプログラム。
【発明の詳細な説明】
【技術分野】
【０００１】
本発明は、非接触給電システムに関する。
【背景技術】
【０００２】
非接触給電システムでは、外部機器と有線接続しないで無線での給電により機器内の電池を充電可能である。無線給電では、送電装置のアンテナから放射した電磁波を受電装置のアンテナが受けて電力の送受電を行う。そして、電磁波を無制御状態で放射しないよう、送電装置と受電装置の間で互いの送受電情報を無線通信により取得し、決定した電力で送電と受電を行う。無線給電においては、給電用の通信周波数と制御用の通信周波数が異なる帯域外（アウトオフバンド）通信方式と呼ばれる方法が用いられる。
【０００３】
帯域外通信方式には、無線規格の一つとして、Ｂｌｕｅｔｏｏｔｈ Ｌｏｗ Ｅｎｅｒｇｙ（登録商標）（以下、ＢＬＥ）を用いることが可能である。ＢＬＥでは、ペリフェラルの役割を持つ装置（ＢＬＥペリフェラル）がアドバタイズパケットを送信し、アドバタイズパケットを受信したセントラルの役割を持つ装置（ＢＬＥセントラル）が接続を要求し、ＢＬＥ接続を確立する。そして、ＢＬＥ接続を確立した後、データの送受信を行う。
【０００４】
ＢＬＥでは、ＢＬＥペリフェラルである受電装置は、ＢＬＥセントラルである送電装置と接続し、無線給電のための制御用の通信を行っている場合、他のＢＬＥセントラルとＢＬＥ接続ができない。しかしながら、ＢＬＥペリフェラルである受電装置は、ＢＬＥセントラルである送電装置とだけ通信を行うわけではなく、ＢＬＥセントラルである他の無線通信装置ともＢＬＥでデータ通信を行う場合がある。その場合、ＢＬＥペリフェラルである受電装置は、ＢＬＥセントラルである送電装置と接続ができず、無線給電を実施できないことになる。
【０００５】
また、ＢＬＥペリフェラルである受電装置は、ＢＬＥセントラルである他の無線通信装置との接続開始をトリガーとしてペアリング情報を交換し、他の無線通信規格により無線通信を行うハンドオーバーでも問題が生じる可能性がある。すなわち、受電装置の電池残量不足により他の無線通信装置とＢＬＥ接続が正常に行われたにも関わらず、その後のハンドオーバーとそれ以降のサービスが実施されない可能性がある。このため、ＢＬＥペリフェラルである受電装置の接続相手として、ＢＬＥセントラルである送電装置と他の無線通信装置とが選択可能な場合に、自動で有効なサービスを実施可能な接続相手を選択できることが望ましい。
【０００６】
特許文献１には、携帯電子装置の接近を送電装置側で検知し、その接近を検知したことに応答して、携帯電子装置の蓄電モジュールを充電するために送電を行う技術が記載されている。特許文献２には、近距離場内でワイヤレス電力を送信する送信アンテナを含むデバイスが、デバイスの送信アンテナと他の電子デバイスのアンテナとの間の電磁界妨害を検出し、他の電子デバイスの通信リンクの確立を可能にする技術が記載されている。
【先行技術文献】
【特許文献】
【０００７】
【特許文献１】特開２００６−３５３０４２号公報
【特許文献２】特開２０１２−５２００５７号公報
【発明の概要】
【発明が解決しようとする課題】
【０００８】
上記特許文献１では、送電装置が携帯電子装置の接近を検知した後、送電装置と携帯電子装置の間で無線給電を開始するために必要な情報の交換を行うことが可能である。しかしながら、上記特許文献１では送電装置以外の他の無線通信装置と通信を行う可能性や携帯電子装置の電池残量不足によりサービスが実施できなくなる可能性について考慮されていない。
【０００９】
また、上記特許文献２では、送電装置に近接配置された電子デバイスと他の異なる電子デバイスの間で、送電装置と無線給電を開始するために必要な情報の交換を行うことが可能である。しかしながら、上記特許文献２では送電装置以外の他の無線通信装置と通信を行う可能性や電子デバイスの電池残量不足によりサービスが実施できなくなる可能性について考慮されていない。
【００１０】
本発明は、上記課題に鑑みてなされ、その目的は、無線給電やその他の機能を実施可能な接続相手を自動的に選択できる技術を実現することである。
【課題を解決するための手段】
【００１１】
上記課題を解決し、目的を達成するために、本発明の通信装置は、他の装置から無線で電力を受電可能な受電手段と、前記他の装置から受電した電力で二次電池を充電可能な充電手段と、他の装置と無線通信可能な無線通信手段と、前記無線通信手段により他の装置から受信した情報に基づき、他の装置に送信するための無線信号に含まれる他の装置との間で実施可能な機能情報を設定する設定手段と、前記二次電池の電池残量が所定の閾値以上の場合、前記機能情報を他の装置との間で無線給電を実施しない第１の情報に設定し、前記二次電池の電池残量が所定の閾値に満たない場合、前記機能情報を他の装置との間で無線給電を実施可能な第２の情報に設定するように制御する制御手段と、を有する。
【発明の効果】
【００１２】
本発明によれば、無線給電やその他の機能を実施可能な接続相手を自動的に選択できるようになる。
【図面の簡単な説明】
【００１３】
【図１】実施形態１の送電装置の構成例を示すブロック図。
【図２】実施形態１の受電装置の構成例を示すブロック図。
【図３】実施形態１の無線通信装置の構成例を示すブロック図。
【図４】実施形態１の受電装置のＧＡＴＴサーバのデータベースを変更する処理を示すフローチャート。
【図５】実施形態１の送電装置と受電装置の間で無線給電を行うシーケンス（前半）を示す図。
【図６】実施形態１の送電装置と受電装置の間で無線給電を行うシーケンス（後半）を示す図。
【図７】実施形態１の受電装置と無線通信装置の間でデータ通信を行うシーケンス（前半）を示す図。
【図８】実施形態１の受電装置と無線通信装置の間でデータ通信を行うシーケンス（後半）を示す図。
【図９】実施形態１の送電装置と受電装置の間で無線給電を行うシーケンスを示す図。
【図１０】実施形態１の送電装置と受電装置の間で無線給電を行うシーケンスを示す図。
【図１１】実施形態１の受電装置のアドバタイズパケットのデータ構成を例示する図。
【図１２】実施形態１の受電装置のＧＡＴＴサーバのデータベースの構成を例示する図。
【図１３】実施形態１の送電装置、受電装置および無線通信装置の位置関係を例示する図。
【図１４】実施形態２の受電装置のＧＡＴＴサーバのデータベースを変更する処理を示すフローチャート。
【図１５】実施形態２の送電装置と受電装置の間で無線給電を行うシーケンスを示す図。
【図１６】実施形態２の受電装置と無線通信装置の間でデータ通信を行うシーケンスを示す図。
【図１７】実施形態３の受電装置のＧＡＴＴサーバのデータベースを変更する処理を示すフローチャート。
【図１８】実施形態４の受電装置のＧＡＴＴサーバのデータベースの構成を例示する図。
【図１９】実施形態５の受電装置のＧＡＴＴサーバのデータベースを変更する処理を示すフローチャート。
【図２０】実施形態５の受電装置の構成例を示すブロック図。
【発明を実施するための形態】
【００１４】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１５】
以下、本実施形態の送電装置および受電装置からなる非接触給電システムについて説明する。
【００１６】
図１は本実施形態の送電装置の構成例を示すブロック図である。図２は本実施形態の受電装置の構成例を示すブロック図である。
【００１７】
本実施形態の非接触給電システムは、送電装置１０１と、送電装置１０１と通信を行い、電力の供給を受ける受電装置２０１とを含む。送電装置１０１は、所定の範囲の中に受電装置２０１が存在する場合、非接触により通信を行い、受電装置２０１から機器情報を含む接続信号を受信する。送電装置１０１は、受電装置２０１が給電可能な機器であると判定すると、送電アンテナを介して送電用の電力を出力して受電装置２０１に電力を供給する。その際、送電装置１０１は受電装置２０１から受電情報を受信することで、受電装置２０１の状態を確認することができる。
【００１８】
受電装置２０１は、受電アンテナを介して送電装置１０１から出力される電力を非接触により受電可能である。送電装置１０１における所定の範囲の中に受電装置２０１が存在しない場合、受電装置２０１は送電装置１０１から電力を受け取ることはできない。受電装置２０１は、受電中に送電装置１０１へ受電情報を送信することも可能である。
【００１９】
受電装置２０１は、送電装置１０１における所定の範囲の中に存在する場合には、送電装置１０１と通信を行うことが可能である。また、受電装置２０１は、送電装置１０１における所定の範囲の中に存在する場合には、送電装置１０１と通信を行うことが可能である。
【００２０】
なお、送電装置１０１は複数の電子機器に対しても、並行して電力を非接触で供給することが可能であってもよいものとする。
【００２１】
受電装置２０１は、二次電池から供給される電力によって動作する通信装置であれば、タブレット型ＰＣやスマートフォン、デジタルスチルカメラやデジタルビデオカメラ等の撮像装置、音声データや映像データの再生を行う再生装置であってもよい。また、受電装置２０１は、二次電池から供給される電力によって駆動する車のような移動装置であってもよい。
【００２２】
また、受電装置２０１は、二次電池が装着されていない場合に、送電装置１０１から供給される電力によって動作可能な電子機器であってもよいものとする。
【００２３】
なお、本実施形態では、送電装置１０１が送電した電力を送電電力、受電装置２０１が受電した電力を受電電力と称し、送電装置１０１が送電した電力と受電装置２０１が受電した電力の比率を給電効率と称するものとする。
【００２４】
次に、図１を用いて、本実施形態の送電装置１０１の構成および機能を説明する。なお、図１では、本実施形態の説明に不要なブロックへの電源接続は省略している。また、以下では、本実施形態の説明に不要なブロックと動作の詳細な説明は省略している。
【００２５】
図１において、送電装置１０１は受電装置２０１へ無線による送電および無線通信可能な装置である。ＴＸ制御部１０２は送電装置１０１の無線給電を含む装置全体の制御を司るＣＰＵ、ワークエリアとして使用されるＲＡＭ（Ｒａｎｄｏｍ Ａｃｃｅｓｓ Ｍｅｍｏｒｙ）、後述する処理手順を記憶しているＲＯＭ（Ｒｅａｄ Ｏｎｌｙ Ｍｅｍｏｒｙ）を有する。
【００２６】
ＴＸ送電部Ａ１１１は受電装置２０１へ電力を無線送電するための回路であり、主にトランジスタ増幅回路や水晶発振回路などを備える。
【００２７】
ＴＸ整合回路Ａ１１２はＴＸ送電部Ａ１１１と後述のＴＸ送電アンテナＡ１１３のインピーダンス整合を行うための回路である。ＴＸ整合回路Ａ１１２はＴＸ制御部１０２の制御によって調整可能な回路とする。また、ＴＸ整合回路Ａ１１２は無線で電力を送電する場合に過大な電圧が発生しないよう保護回路を備える。
【００２８】
ＴＸ送電アンテナＡ１１３は受電装置２０１へ無線で電力を送電することができる。ＴＸ送電アンテナＡ１１３は、例えばＨＦ帯である６．７８ＭＨｚまたは１３．５６ＭＨｚ付近に共振周波数を有するアンテナである。
【００２９】
反射電力検出回路１１５は送電装置１０１のＴＸ送電アンテナＡ１１３から出力される電力の進行波と反射波を進行波電圧ＶＦおよび反射波電圧ＶＲとして検出する回路である。反射電力検出回路１１５は、例えばＣＭ型方向性結合器である。ＣＭ型方向性結合器は一般的な回路であるので説明は省略する。
【００３０】
ＴＸ通信部Ｃ１３１は他の装置と近距離無線通信が可能であり、受電装置２０１と無線給電を行うための制御用データ通信も行うことができる。ＴＸ通信部Ｃ１３１で行う近距離無線通信は近距離無線規格であるＢｌｕｅｔｏｏｔｈ Ｌｏｗ Ｅｎｅｒｇｙ（ＢＬＥ）（登録商標）に対応しているものとする。送電装置１０１のＴＸ通信部Ｃ１３１は、受電装置２０１と無線給電を行う場合はＢＬＥセントラル（ＧＡＴＴ（Ｇｅｎｅｒｉｃ  ＡＴＴｒｉｂｕｔｅ ｓｅｒｖｅｒ）クライアント）として動作する。
【００３１】
ＴＸ通信整合回路Ｃ１３２はＴＸ通信部Ｃ１３１と後述のＴＸ通信アンテナＣ１３３のインピーダンス整合を行う。ＴＸ通信整合回路Ｃ１３２はＴＸ制御部１０２の制御によって調整可能な回路でもよいし、固定定数回路でもよい。また、ＴＸ通信整合回路Ｃ１３２は過大な電圧が発生しないよう保護回路を備える。
【００３２】
ＴＸ通信アンテナＣ１３３は他の装置と近距離無線通信を行うための電磁波を送受信する。ＴＸ通信アンテナＣ１３３は、例えばＵＨＦ帯である２．４５ＧＨｚ付近に共振周波数を有するアンテナである。
【００３３】
次に、図２を用いて、本実施形態の受電装置２０１の構成および機能を説明する。なお、図２では、本実施形態の説明に不要なブロックへの電源接続と、各ブロックの入力および出力キャパシタの記載は省略している。また、以下では、本実施形態の説明に不要なブロックと動作の詳細な説明は省略している。
【００３４】
図２において、受電装置２０１は送電装置１０１から無線で電力の受電および無線通信可能な装置である。
【００３５】
ＲＸ制御部２０２は受電装置２０１の無線給電を含む装置全体の制御を司るＣＰＵ、ワークエリアとして使用されるＲＡＭ、後述する処理手順を記憶しているＲＯＭを有する。
【００３６】
ＲＸ受電アンテナＡ２１３は送電装置１０１から無線で電力を受電することができる。ＲＸ受電アンテナＡ２１３は、例えばＨＦ帯である６．７８ＭＨｚまたは１３．５６ＭＨｚ付近に共振周波数を有するように制御可能なアンテナである。
【００３７】
キャパシタ２１２はＲＸ受電アンテナＡ２１３とＬＣ共振回路を形成し、アンテナとしての共振周波数を決定する。
【００３８】
ＲＸ電圧検出回路Ａ２１４はＲＸ受電アンテナＡ２１３に発生した電圧を検出する電圧検出回路であり、電圧検出閾値Ｖｔｈ未満の場合は検出信号を出力せず、電圧検出閾値Ｖｔｈ以上の場合は検出信号を出力する。
【００３９】
ＲＸ検出回路Ｂ２１５は受電装置２０１の外部からの刺激入力を検出可能であり、例えばメカニカルスイッチ、磁気センサ、電解センサ、加速度センサ、角速度センサ、容量センサ、フォトセンサなどである。ＲＸ検出回路Ｂ２１５の動作電源は図示しないがＲＸ電池２０３から供給してもよいし、他の回路から供給する構成でもよい。
【００４０】
受電装置２０１のＲＸ電圧検出回路Ａ２１４の検出信号は、ＲＸ受電アンテナＡ２１３に外部からの電磁波を受けた場合に発生する信号であるので、例えば、送電装置１０１から電磁波を送信すれば受電装置２０１は電磁波を刺激入力として検出することができる。
【００４１】
また、受電装置２０１のＲＸ検出回路Ｂ２１５の刺激入力検出信号は、ＲＸ検出回路Ｂ２１５が外部から機械的接触、磁界照射、電界照射、装置同士の衝突、装置同士の近接、光照射などの刺激入力を受けた場合に発生する。よって、受電装置２０１に対してこれらの刺激入力に相当する物理的な操作を行うことで、受電装置２０１は物理的な操作を刺激入力として検出することができる。
【００４２】
ＲＸ整流平滑回路Ａ２１１は送電装置１０１から受電した電力により発生したＡＣ（交流）電圧をＤＣ（直流）電圧に整流する回路である。整流平滑回路Ａ２１１でＤＣ電圧に整流された電圧はＲＸ定電圧回路Ａ２８１で定電圧化され、後段のＲＸ充電制御回路２８２へ供給される。
【００４３】
ＲＸ充電制御回路２８２はＲＸ電池２０３を充電可能である。ＲＸ充電制御回路２８２はＲＸ電池２０３を充電する機能の他に、他の回路例えばＲＸ制御部２０２や後述するＲＸ撮像処理部２５１などへＲＸ電池２０３の電圧を出力する機能も備える。ＲＸ電池２０３は、例えば１セルのリチウムイオン電池であるが、これに限らず、他の充電可能な二次電池でもよい。
【００４４】
ＲＸ定電圧回路Ｂ２８６は整流平滑回路Ａ２１１でＤＣ電圧に整流された電圧を定電圧化し、後段のＲＸ制御部２０２、ＲＸ通信部Ｂ２２１、ＲＸ通信部Ｃ２３１へ供給する回路である。ＲＸ定電圧回路Ａ２８１はＲＸ電池２０３を充電可能な電流を供給可能な回路とし、ＲＸ定電圧回路Ｂ２８６はＲＸ定電圧回路Ａ２８１よりも供給可能な電流が少ない回路で構成してもよい。ＲＸ定電圧回路Ｂ２８６はＲＸ整流平滑回路Ａ２１１とＲＸ充電制御回路２８２と両方から電流を受けられるようにダイオード２８７とダイオード２８８のＯＲ接続とする。ダイオード２８７とダイオード２８８をＯＲ接続することで、ＲＸ制御部２０２、ＲＸ通信部Ｂ２２１およびＲＸ通信部Ｃ２３１は、ＲＸ受電アンテナＡ２１３で受電した電力とＲＸ電池２０３の電力のいずれかにより動作可能である。
【００４５】
ＲＸ通信部Ｂ２２１は他の装置と近接無線通信を行うことができる。ＲＸ通信部Ｂ２２１は例えば非接触ＩＣリーダからのデータの読み取りおよびデータの書き込みが可能な非接触ＩＣであってもよい。ＲＸ通信部Ｂ２２１で行う近接離無線通信は国際標準規格であるＩＳＯ／ＩＥＣ２１４８１に対応しているものとする。
【００４６】
ＲＸ通信アンテナＢ２２３は他の装置と近接無線通信を行うための電磁波を送受信する。ＲＸ通信アンテナＢ２２３は、例えばＨＦ帯である１３．５６ＭＨｚ付近に共振周波数を有するアンテナである。キャパシタ２２２はＲＸ通信アンテナＢ２２３とＬＣ共振回路を形成し、アンテナとしての共振周波数を決定するためのキャパシタである。
【００４７】
ＲＸ通信部Ｃ２３１は他の装置と近距離無線通信を行うことができ、送電装置１０１と無線給電を行うための制御用データ通信も行うことができる。ＲＸ通信部Ｃ２３１で行う近距離無線通信は近距離無線規格であるＢＬＥに対応しているものとする。受電装置２０１のＲＸ通信部Ｃ２３１は、送電装置１０１や近距離無線通信と無線通信を行う場合はＢＬＥペリフェラル（ＧＡＴＴサーバ）として動作する。
【００４８】
また、受電装置２０１のＲＸ通信部Ｃ２３１は、無線通信装置３０１と近距離無線通信を行う場合はＢＬＥペリフェラル（ＧＡＴＴサーバ）として動作する。
【００４９】
ＲＸ通信整合回路Ｃ２３２はＲＸ通信部Ｃ２３１と後述のＲＸ通信アンテナＣ２３３のインピーダンス整合を行うための回路である。ＲＸ通信整合回路Ｃ２３２はＲＸ制御部２０２の制御によって調整可能な回路でもよいし、固定定数回路でもよい。また、ＲＸ通信整合回路Ｃ２３２は過大な電圧が発生しないよう保護回路を備える。
【００５０】
ＲＸ通信アンテナＣ２３３は他の装置と近距離無線通信を行うための電磁波を送受信する。ＲＸ通信アンテナＣ２３３は、例えばＵＨＦ帯である２．４５ＧＨｚ付近に共振周波数を有するアンテナである。
【００５１】
ＲＸ通信部Ｄ２４１は他の装置と無線通信を行うための電磁波を送受信する。ＲＸ通信部Ｄ２４１で行う無線通信はＷＬＡＮ規格であるＩＥＥＥ８０２．１１に対応しているものとする。
【００５２】
ＲＸ通信整合回路Ｄ２４２はＲＸ通信部Ｄ２４１と後述のＲＸ通信アンテナＤ２４３のインピーダンス整合を行うための回路である。ＲＸ通信整合回路Ｄ２４２はＲＸ制御部２０２の制御によって調整可能な回路でもよいし、固定定数回路でもよい。また、ＲＸ通信整合回路Ｄ２４２は過大な電圧が発生しないよう保護回路を備える。
【００５３】
ＲＸ通信アンテナＤ２４３は他の装置と無線通信を行うための電磁波を送受信する。ＲＸ通信アンテナＤ２４３は、例えばＵＨＦ帯である２．４５ＧＨｚ付近に共振周波数を有するアンテナである。
【００５４】
ＲＸ撮像処理部２５１はレンズおよびその駆動系で構成される光学ユニットと撮像素子で構成されるＲＸ撮像部２５２で撮影された映像を、デジタルデータに変換する。
【００５５】
ＲＸメモリーカード２５３は、ＲＸ撮像処理部２５１で処理された映像のデジタルデータの書き込みおよび読み込みを行うことができるメモリーカードである。ＲＸメモリーカード２５３は、例えばフラッシュメモリなどの書き換えが可能な不揮発性メモリである。
【００５６】
ＲＸ表示部Ａ２５４は、受電装置２０１の操作情報やＲＸ撮像部２５２で撮影した映像を表示可能であり、例えば液晶表示器（Ｌｉｑｕｉｄ Ｃｒｙｓｔａｌ Ｄｉｓｐｌａｙ：ＬＣＤ）である。
【００５７】
ＲＸ表示部Ｂ２５５は、受電装置２０１の動作状態を示すインジケータであり、例えばＬＥＤ（Ｌｉｇｈｔ Ｅｍｉｔｔｉｎｇ Ｄｉｏｄｅ：発光ダイオード）で構成される。
【００５８】
ＲＸコネクタ２６０は、ＵＳＢインターフェースに代表されるような外部インターフェースのコネクタであり、受電装置２０１はＲＸコネクタ２６０を介して他の装置と接続することができる。また、ＲＸコネクタ２６０を介して接続された他の装置から有線給電により電力供給を受け、ＲＸ定電圧回路Ａ２８１、ＲＸ充電制御回路２８２を介してＲＸ電池２０３を充電することも可能である。
【００５９】
次に、本実施形態の無線通信装置３０１の構成および機能を説明する。
【００６０】
なお、図３において、本実施形態の説明に不要なブロックへの電源接続と、各ブロックの入力および出力キャパシタの記載は省略している。また、以下では、本実施形態の説明に不要なブロックと動作の詳細な説明は省略している。
【００６１】
図３において、無線通信装置３０１は受電装置２０１と無線通信可能な装置である。ＯＴＨ制御部３０２は無線通信装置３０１の装置全体の制御を司るＣＰＵ、ワークエリアとして使用されるＲＡＭ、後述する処理手順を記憶しているＲＯＭを有する。
【００６２】
ＯＴＨコネクタ３６０は、ＵＳＢインターフェースに代表されるような外部インターフェースのコネクタであり、無線通信装置３０１はＯＴＨコネクタ３６０を介してさらに他の装置と接続することができる。また、ＯＴＨコネクタ３６０を介して接続されたさらに他の装置から電力供給を受け、ＯＴＨ定電圧回路Ａ３８１、ＯＴＨ充電制御回路３８２を介してＯＴＨ電池３０３を充電することが可能である。
【００６３】
ＯＴＨ充電制御回路３８２はＯＴＨ電池３０３を充電可能な回路である。ＯＴＨ充電制御回路３８２はＯＴＨ電池３０３を充電する機能の他に、他の回路例えばＯＴＨ制御部３０２や後述するＯＴＨ撮像処理部３５１などへＯＴＨ電池３０３の電圧を出力する機能も備えるものとする。ＯＴＨ電池３０３は、例えば１セルのリチウムイオン電池であるが、他の充電可能な二次電池であってもよい。
【００６４】
ＯＴＨ定電圧回路Ｂ３８６はＯＴＨ充電制御回路３８２の出力電圧を受け、後段の回路、ＯＴＨ制御部３０２およびＯＴＨ通信部Ｂ３２１、ＯＴＨ通信部Ｃ３３１に電力を供給可能な定電圧回路である。ＯＴＨ定電圧回路Ｂ３８６はＯＴＨ定電圧回路Ａ３８１よりも供給可能な電流が少ない回路で構成してもよい。
【００６５】
ＯＴＨ通信部Ｂ３２１は受電装置２０１のＲＸ通信部Ｂ２２１、および他の装置と近接無線通信を行うことができる。ＯＴＨ通信部Ｂ３２１は、例えば非接触ＩＣのデータ読み取りおよびデータ書き込みが可能な非接触ＩＣリーダライタであってもよい。ＯＴＨ通信部Ｂ３２１で行う近接離無線通信は国際標準規格であるＩＳＯ／ＩＥＣ２１４８１に対応しているものとする。
【００６６】
ＯＴＨ通信アンテナＢ３２３は受電装置２０１のＲＸ通信部Ｂ２２１、および他の装置と近接無線通信を行うための電磁波を送受信する。ＯＴＨ通信アンテナＢ３２３は、例えばＨＦ帯である１３．５６ＭＨｚ付近に共振周波数を有するアンテナである。キャパシタ３２２はＯＴＨ通信アンテナＢ３２３とＬＣ共振回路を形成し、アンテナとしての共振周波数を決定する。
【００６７】
ＯＴＨ通信部Ｃ３３１は受電装置２０１のＲＸ通信部Ｃ２３１、および他の装置と近距離無線通信を行うことができる。ＯＴＨ通信部Ｃ３３１で行う近距離無線通信は近距離無線規格であるＢＬＥに対応しているものとする。無線通信装置３０１のＯＴＨ通信部Ｃ３３１は、受電装置２０１と近距離無線通信を行う場合はＢＬＥセントラルとして動作する。
【００６８】
ＯＴＨ通信整合回路Ｃ３３２はＯＴＨ通信部Ｃ３３１と後述のＯＴＨ通信アンテナＣ３３３のインピーダンス整合を行うための回路である。ＯＴＨ通信整合回路Ｃ３３２はＯＴＨ制御部３０２の制御によって調整可能な回路でもよいし、固定定数回路でもよい。また、ＯＴＨ通信整合回路Ｃ３３２は過大な電圧が発生しないよう保護回路を備える。
【００６９】
ＯＴＨ通信アンテナＣ３３３は受電装置２０１のＲＸ通信部Ｃ２３１、および他の装置と近距離無線通信を行うための電磁波を送受信する。ＯＴＨ通信アンテナＣ３３３は、例えばＵＨＦ帯である２．４５ＧＨｚ付近に共振周波数を有するアンテナである。
【００７０】
ＯＴＨ通信部Ｄ３４１は受電装置２０１のＲＸ通信部Ｄ２４１、および他の装置と無線通信を行うことができる。ＯＴＨ通信部Ｄ３４１で行う無線通信はＷＬＡＮ規格であるＩＥＥＥ８０２．１１に対応しているものとする。
【００７１】
ＯＴＨ通信整合回路Ｄ３４２はＯＴＨ通信部Ｄ３４１と後述のＯＴＨ通信アンテナＤ３４３のインピーダンス整合を行うための回路である。ＯＴＨ通信整合回路Ｄ３４２はＲＸ制御部２０２の制御によって調整可能な回路でもよいし、固定定数回路でもよい。また、ＯＴＨ通信整合回路Ｄ３４２は過大な電圧が発生しないよう保護回路を備える。
【００７２】
ＯＴＨ通信アンテナＤ３４３は受電装置２０１のＲＸ通信部Ｄ２４１、および他の装置と無線通信を行うための電磁波を送受信する。ＯＴＨ通信アンテナＤ３４３は、例えばＵＨＦ帯である２．４５ＧＨｚ付近に共振周波数を有するアンテナである。
【００７３】
ＯＴＨ撮像処理部３５１はレンズおよびその駆動系で構成される光学ユニットと撮像素子で構成されるＯＴＨ撮像部３５２で撮影された映像を、デジタルデータに変換する。
【００７４】
ＯＴＨメモリーカード３５３は、ＯＴＨ撮像処理部３５１で処理された映像のデジタルデータの書き込みおよび読み込みを行うことができるメモリーカードであり、例えばフラッシュメモリなどの書き換えが可能な不揮発性メモリである。
【００７５】
ＯＴＨ表示部Ａ３５４は、無線通信装置３０１の操作情報やＯＴＨ撮像部３５２で撮影した映像を表示することのできる表示部であり、例えば液晶表示器（Ｌｉｑｕｉｄ Ｃｒｙｓｔａｌ Ｄｉｓｐｌａｙ：ＬＣＤ）である。
【００７６】
ＯＴＨ表示部Ｂ３５５は、無線通信装置３０１の処理状態を示すインジケータであり、例えば発光ダイオード（Ｌｉｇｈｔ Ｅｍｉｔｔｉｎｇ Ｄｉｏｄｅ：ＬＥＤ）である。
【００７７】
＜処理手順＞次に、上述した図１から図３に加えて、図４から図１２を用いて、本実施形態のＳｅｒｖｉｃｅとＣｈａｒａｃｔｅｒｉｓｔｉｃを格納するＧＡＴＴサーバ（ＧＡＴＴ ｓｅｒｖｅｒ）のデータベースのＳｅｒｖｉｃｅを変更する処理を説明する。
【００７８】
図４は、受電装置２０１の電池電圧の変化に応じてＧＡＴＴサーバのデータベースのＳｅｒｖｉｃｅを変更する処理手順を示している。以下の処理は特に言及しない限り、受電装置２０１のＲＸ制御部２０２が実行するものとする。後述する図１４、図１９でも同様である。
【００７９】
また、図５および図６は、本実施形態の送電装置１０１と受電装置２０１の間で無線給電を行う処理シーケンスを示している。図７および図８は、本実施形態の受電装置２０１と無線通信装置３０１の間でデータ通信を行う処理シーケンスを示している。図６および図７は、本実施形態の送電装置１０１と、電池容量が不足していている受電装置２０１の間で無線給電を行う処理シーケンスを示している。図１１は、本実施形態の受電装置２０１のアドバタイズパケットのデータ構成例を示している。図１２は、本実施形態の受電装置２０１のＲＸ通信部Ｃ２３１に格納されているＧＡＴＴサーバのデータベースを例示している。
【００８０】
図４の処理は、受電装置２０１にＲＸ電池２０３が挿入されたことをトリガーとして開始される。
【００８１】
Ｓ４０１で、受電装置２０１のＲＸ制御部２０２はＲＸ電池２０３の電圧が第１の閾値以上であるか否かを判定する。受電装置２０１のＲＸ制御部２０２がＲＸ電池２０３の電圧が第１の閾値以上であると判定した場合、処理はＳ４０２へ進む。また、受電装置２０１のＲＸ制御部２０２ＧＲＸ電池２０３の電圧が第１の閾値以上ではないと判定した場合、処理はＳ４１３へ進む。
【００８２】
Ｓ４０２では、受電装置２０１のＲＸ制御部２０２はＲＸ電池２０３の電圧が第２の閾値以上であるか否かを判定する。ＲＸ電池２０３の第１の閾値とは、少なくとも受電装置２０１のＲＸ制御部２０２とＲＸ通信部Ｃ２３１の正常な動作が保証されている値とする。ＲＸ電池２０３の第２の閾値とは、第１の閾値よりも高く、受電装置２０１の一部または全ての機能の正常な動作が保証されている値とする。
【００８３】
Ｓ４０２で、受電装置２０１のＲＸ制御部２０２がＲＸ電池２０３の電圧が第２の閾値以上であると判定した場合、処理はＳ４２４へ進む。
【００８４】
Ｓ４２４では、受電装置２０１のＲＸ制御部２０２はＲＸ通信部Ｃ２３１のＧＡＴＴサーバのデータベースのＳｅｒｖｉｃｅを第１のサービス設定にし、処理はＳ４０９に進む。
【００８５】
Ｓ４０９では、受電装置２０１のＲＸ制御部２０２はＲＸ通信部Ｃ２３１から第４のアドバタイズパケットを送信して、処理はＳ４０１へ戻る。
【００８６】
Ｓ４１３では、受電装置２０１のＲＸ制御部２０２は他の装置から予備電力入力があるか否かを判定する。Ｓ４１３での予備電力入力とは、例えば、ＲＸ受電アンテナＡ２１３に受けた電磁波やＲＸコネクタ２６０から入力された電力などである。Ｓ４１３では、受電装置２０１のＲＸ電池２０３の電圧が第１の閾値以上ではなかったとしても、予備電力入力によってＲＸ制御部２０２を動作し、Ｓ４１３の判定ができる。
【００８７】
Ｓ４１３で、受電装置２０１のＲＸ制御部２０２が他の装置から予備電力入力がないと判定した場合、処理はＳ４１４へ進む。
【００８８】
Ｓ４１４では、受電装置２０１のＲＸ制御部２０２はＲＸ通信部Ｃ２３１から送信するアドバタイズパケットの送信を停止し、処理を終了する。
【００８９】
Ｓ４０２で、受電装置２０１のＲＸ制御部２０２がＲＸ電池２０３の電圧が第２の閾値以上ではないと判定した場合、またはＳ４１３で、受電装置２０１のＲＸ制御部２０２が他の装置から予備電力入力があると判定した場合、処理はＳ４０５へ進む。
【００９０】
Ｓ４０５では、受電装置２０１のＲＸ制御部２０２はＲＸ通信部Ｂ２２１に対する通信が行われたか、またはＲＸコネクタ２６０を介して他の装置から電力が供給されているか否かを判定する。Ｓ４０５では、ＲＸ制御部２０２はＲＸ通信部Ｂ２２１のステータスを取得することで、非接触ＩＣリーダからのデータ読み取りおよびデータ書き込みのための電磁波を受け、受電装置２０１のＲＸ通信部Ｂ２２１に対する通信が行われたことが判定できる。また、Ｓ４０５でＲＸコネクタ２６０を介して他の装置から電力が供給されているかは、ＲＸ制御部２０２と他の装置のデータ通信およびＲＸ定電圧回路Ａ２８１の電圧などで判定できる。
【００９１】
Ｓ４０５で、受電装置２０１のＲＸ制御部２０２がＲＸ通信部Ｂ２２１に対する通信が行われたか、またはＲＸコネクタ２６０を介して他の装置から電力が供給されていると判定した場合、処理はＳ４２４へ進む。
【００９２】
Ｓ４２４では、受電装置２０１のＲＸ制御部２０２はＲＸ通信部Ｃ２３１のＧＡＴＴサーバのデータベースのＳｅｒｖｉｃｅを第１のサービス設定にし、処理はＳ４０９に進む。
【００９３】
Ｓ４０９では、受電装置２０１のＲＸ制御部２０２はＲＸ通信部Ｃ２３１から第４のアドバタイズパケットを送信して、処理はＳ４０１へ戻る。
【００９４】
Ｓ４０５で、受電装置２０１のＲＸ制御部２０２がＲＸ通信部Ｂ２２１に対する通信が行われていない、かつＲＸコネクタ２６０を介して他の装置から電力が供給されていないと判定した場合、処理はＳ４０６へ進む。
【００９５】
Ｓ４０６では、受電装置２０１のＲＸ制御部２０２はＲＸ電池２０３の充電完了後に一度送電装置１０１からの電磁波がなくなったか否かを判定する。Ｓ４０６では、ＲＸ制御部２０２はＲＸ電圧検出回路Ａ２１４の検出信号によって、ＲＸ受電アンテナＡ２１３に送電装置１０１からの電磁波を受けているか否かを判定できる。
【００９６】
Ｓ４０６で、受電装置２０１のＲＸ制御部２０２がＲＸ電池２０３の充電完了後に送電装置１０１からの電磁波が継続中、すなわち、電磁波がリセットされていないと判定した場合、処理はＳ４２４へ進む。
【００９７】
Ｓ４０６で、受電装置２０１のＲＸ制御部２０２がＲＸ電池２０３の充電完了後に一度送電装置１０１からの電磁波がなくなった、すなわち、電磁波がリセットされたと判定した場合、処理はＳ４０７へ進む。
【００９８】
Ｓ４０７では、受電装置２０１のＲＸ制御部２０２はＲＸ通信部Ｃ２３１を用いる他の装置との通信リンクを終了し、処理はＳ４２８へ進む。
【００９９】
Ｓ４２８では、受電装置２０１のＲＸ制御部２０２はＲＸ通信部Ｃ２３１のＧＡＴＴサーバのデータベースを第２のサービス設定にし、処理はＳ４０９に進む。
【０１００】
Ｓ４０９では、受電装置２０１のＲＸ制御部２０２はＲＸ通信部Ｃ２３１から第４のアドバタイズパケットを送信し、処理はＳ４１０に進む。
【０１０１】
Ｓ４１０では、受電装置２０１のＲＸ制御部２０２はＲＸ通信部Ｃ２３１にＢＬＥセントラルからの接続要求があり、通信リンクを確立したか否かを判定する。Ｓ４１０で、受電装置２０１のＲＸ制御部２０２がＢＬＥセントラルとの接続を確立したと判定した場合、処理はＳ４１１に進む。
【０１０２】
Ｓ４１１では、受電装置２０１のＲＸ制御部２０２はＢＬＥセントラルとの通信を行い、処理はＳ４１２へ進む。
【０１０３】
Ｓ４１０で、受電装置２０１のＲＸ制御部２０２がＲＸ通信部Ｃ２３１にＢＬＥセントラルからの接続要求がなく、通信リンクを確立していないと判定した場合、処理はＳ４０１へ戻る。
【０１０４】
Ｓ４１２では、受電装置２０１のＲＸ制御部２０２はＲＸ通信部Ｃ２３１でのＢＬＥセントラルとの通信リンクが終了したか否かを判定する。Ｓ４１２で、受電装置２０１のＲＸ制御部２０２がＢＬＥセントラルとの通信リンクが終了したと判定した場合、処理はＳ４０１へ戻る。Ｓ４１２で、受電装置２０１のＲＸ制御部２０２がＢＬＥセントラルとの通信リンクが終了していないと判定した場合、処理はＳ４１１へ戻り、ＢＬＥセントラルとの通信を行う。
【０１０５】
Ｓ４０９の処理における第４のアドバタイズパケットとは、図１１に示すように、０から２９６ビットのアドバタイズデータに、受電装置２０１がＳｅｒｖｉｃｅ４を実施可能なことを特定するＵＵＩＤ４を含む無線信号のことである。
【０１０６】
ＵＵＩＤ４で特定するＳｅｒｖｉｃｅ４とは、様々なサービスが考えられるが、その一例を以下に示す。
【０１０７】
Ｓｅｒｖｉｃｅ４は、受電装置２０１のＲＸ通信部Ｃ２３１と無線通信装置３０１のＯＴＨ通信部Ｃ３３１の通信による、受電装置２０１の状態を通知するデバイス情報サービスであってもよい。
【０１０８】
受電装置２０１のＲＸ通信部Ｃ２３１のＧＡＴＴサーバのデータベースの第１のサービス設定を図１２（ａ）に示す。
【０１０９】
第１のサービス設定は、受電装置２０１のＲＸ通信部Ｄ２４１と無線通信装置３０１のＯＴＨ通信部Ｄ３４１の無線通信接続を開始するハンドオーバーサービスを行うためのサービス設定を含むものとする。
【０１１０】
図１２（ａ）に示すＧＡＴＴサーバのデータベースには、以下の３種類のＳｅｒｖｉｃｅ（機能情報）が格納されているものとする。
【０１１１】
Ｓｅｒｖｉｃｅ４：ＵＵＩＤ４に対応した複数のＣｈａｒａｃｔｅｒｉｓｔｉｃのＵＵＩＤと各々のＵＵＩＤに対応するＶＡＬＵＥ。
【０１１２】
Ｓｅｒｖｉｃｅ１：ＵＵＩＤ１に対応した複数のＣｈａｒａｃｔｅｒｉｓｔｉｃのＵＵＩＤと各々のＵＵＩＤに対応するＶＡＬＵＥ。
【０１１３】
Ｓｅｒｖｉｃｅ３：ＵＵＩＤ３に対応した複数のＣｈａｒａｃｔｅｒｉｓｔｉｃのＵＵＩＤと各々のＵＵＩＤに対応するＶＡＬＵＥ。
【０１１４】
Ｓｅｒｖｉｃｅ４は、例えばデバイス情報サービスである。Ｓｅｒｖｉｃｅ４のＣｈａｒａｃｔｅｒｉｓｔｉｃ ＶＡＬＵＥは、例えば“製造者名”、“モデル名”、“シリアルＮｏ”、“モデル名”、“ハードウェアＲｅｖ”、“ファームウェアＲｅｖ”、“システムＩＤ”である。
【０１１５】
Ｓｅｒｖｉｃｅ１は、例えば前述のハンドオーバーサービスである。Ｓｅｒｖｉｃｅ１のＣｈａｒａｃｔｅｒｉｓｔｉｃ ＶＡＬＵＥは、例えば“画像転送可否フラグ”、“ＳＳＩＤ”、“ＰＡＳＳＷＯＲＤ”である。
【０１１６】
Ｓｅｒｖｉｃｅ３は、例えばバッテリーサービスである。Ｓｅｒｖｉｃｅ３のＣｈａｒａｃｔｅｒｉｓｔｉｃ ＶＡＬＵＥは、例えば“電池電圧”である。
【０１１７】
受電装置２０１のＲＸ通信部Ｃ２３１のＧＡＴＴサーバのデータベースの第２のサービス設定を図１２（ｂ）に示す。
【０１１８】
第２のサービス設定は、送電装置１０１と受電装置２０１の間で無線給電と制御用データ通信とを並行して行う無線給電サービスを実施するためのサービス設定を含むものとする。
【０１１９】
図１２（ｂ）に示すＧＡＴＴサーバのデータベースには、以下の３種類のＳｅｒｖｉｃｅが格納されているものとする。
【０１２０】
Ｓｅｒｖｉｃｅ４：ＵＵＩＤ４に対応した複数のＣｈａｒａｃｔｅｒｉｓｔｉｃのＵＵＩＤと各々のＵＵＩＤに対応するＶＡＬＵＥ。
【０１２１】
Ｓｅｒｖｉｃｅ２：ＵＵＩＤ２に対応した複数のＣｈａｒａｃｔｅｒｉｓｔｉｃのＵＵＩＤと各々のＵＵＩＤに対応するＶＡＬＵＥ。
【０１２２】
Ｓｅｒｖｉｃｅ３：ＵＵＩＤ３に対応した複数のＣｈａｒａｃｔｅｒｉｓｔｉｃのＵＵＩＤと各々のＵＵＩＤに対応するＶＡＬＵＥ。
【０１２３】
Ｓｅｒｖｉｃｅ４は、例えばデバイス情報サービスである。Ｓｅｒｖｉｃｅ４のＣｈａｒａｃｔｅｒｉｓｔｉｃ ＶＡＬＵＥは、例えば“製造者名”、“モデル名”、“シリアルＮｏ”、“ハードウェアＲｅｖ”、“ファームウェアＲｅｖ”、“システムＩＤ”である。
【０１２４】
Ｓｅｒｖｉｃｅ２は、例えば前述の無線給電サービスである。Ｓｅｒｖｉｃｅ２のＣｈａｒａｃｔｅｒｉｓｔｉｃ ＶＡＬＵＥは、例えば“装置名称”、”電力受電可否フラグ”、“電池電圧”、”充電完了フラグ”、“充電完了電圧”、“電池残量レベル”、“最大受電電力”、“送受電要求電力”である。
【０１２５】
Ｓｅｒｖｉｃｅ３は、例えばバッテリーサービスである。Ｓｅｒｖｉｃｅ３のＣｈａｒａｃｔｅｒｉｓｔｉｃ ＶＡＬＵＥは、例えば“電池電圧”である。
【０１２６】
ＢＬＥセントラルである送電装置１０１または無線通信装置３０１は、ＢＬＥペリフェラルである受電装置２０１の送信するアドバタイズパケットをスキャンする。送電装置１０１または無線通信装置３０１は、受電装置２０１が送信するアドバタイズパケットに含まれるサービスを特定するＵＵＩＤが自機との組み合わせにおいて有効であれば、受電装置２０１に対して接続要求を行ってＢＬＥ接続を確立する。そして、自機との組み合わせにおいて有効なサービスセットを有しているかを確認する。
【０１２７】
本実施形態では、受電装置２０１が送信するアドバタイズパケットのＵＵＩＤは送電装置１０１および無線通信装置３０１のいずれにも実施可能なサービスを含む。よって、アドバタイズパケットを受信した送電装置１０１および無線通信装置３０１のいずれかは、受電装置２０１に対し接続要求を行い、ＢＬＥ接続を確立する。
【０１２８】
そして、受電装置２０１のＲＸ通信部Ｃ２３１のＧＡＴＴサーバのデータベースのサービス設定に自機との組み合わせにおいて有効なサービスのセットが含まれていればサービスを実施する。
【０１２９】
送電装置１０１は、受電装置２０１のＲＸ通信部Ｃ２３１のＧＡＴＴサーバのデータベースのサービス設定が第２のサービス設定であれば無線給電サービスを実施する。
【０１３０】
無線通信装置３０１は、受電装置２０１のＲＸ通信部Ｃ２３１のＧＡＴＴサーバのデータベースのサービス設定が第１のサービス設定であればハンドオーバーサービスを実施する。
【０１３１】
次に、受電装置２０１が図４の処理を実施中における、図１３（ａ）〜（ｅ）に示す各状態での送電装置１０１、受電装置２０１および無線通信装置３０１の動作を、図５から図１０を用いて説明する。
【０１３２】
まず、図５を用いて、送電装置１０１と受電装置２０１の間で無線給電を行うシーケンス（前半）を説明する。
【０１３３】
Ｓ５０１では、送電装置１０１のＴＸ制御部１０２はＴＸ送電部Ａ１１１を制御して無線で予備電力を送電する。本実施形態では、Ｓ５０１で送電する予備電力の周波数は６．７８ＭＨｚとし、送電電力は任意の値、例えば０．２５Ｗとする。送電装置１０１はＳ５０１の予備電力の送電は相手装置の有無に関わらず行うものとする。ただし、予備電力の送電は連続的でも間欠的のどちらでもよい。
【０１３４】
Ｓ５０２では、受電装置２０１のＲＸ制御部２０２はＲＸ電池２０３が挿入されたことをトリガーとして動作を開始する。そして、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。また、ＲＸ通信部Ｃ２３１から送信するアドバタイズパケットを第４のアドバタイズパケットに設定する。
【０１３５】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０１３６】
Ｓ５０３では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ａ）のように無線通信装置３０１と受電装置２０１が離れている状態であるので、第４のアドバタイズパケットＡＤＶ＿ＩＮＤ＿４は無線通信装置３０１には届かないものとする。
【０１３７】
Ｓ５０４では、送電装置１０１のＴＸ制御部１０２はＧＥＴ＿ＡＤＶ＿ＩＮＤコマンドでＴＸ通信部Ｃ１３１を用いてアドバタイズパケットをスキャンし、スキャンの結果をＲＥＳＰＯＮＳＥとしてＴＸ制御部１０２に返す。
【０１３８】
Ｓ５０５では、送電装置１０１のＴＸ制御部１０２はＳ５０４のスキャンの結果であるＲＥＳＰＯＮＳＥより、第４のアドバタイズパケットＡＤＶ＿ＩＮＤ＿４の値を取得する。そして、第４のアドバタイズパケットが送電装置１０１に対応するサービスを含んでいることを確認する。
【０１３９】
Ｓ５０６では、送電装置１０１のＴＸ制御部１０２はＳＴＡＲＴ＿ＣＯＭ−Ｃ＿ＣＯＮＮＥＣＴコマンドでＴＸ通信部Ｃ１３１を用いて受電装置２０１のＲＸ通信部Ｃ２３１の接続を開始する。ＳＴＡＲＴ＿ＣＯＭ−Ｃ＿ＣＯＮＮＥＣＴコマンドを受けた送電装置１０１のＴＸ通信部Ｃ１３１は受電装置２０１のＲＸ通信部Ｃ２３１へＣＯＮＮＥＣＴ＿ＲＥＱを送信する。
【０１４０】
なお、送電装置１０１のＴＸ通信部Ｃ１３１は、ＣＯＮＮＥＣＴ＿ＲＥＱを送信する前に受電装置２０１のＲＸ通信部Ｃ２３１へＳＣＡＮ＿ＲＥＱを送信し、ＳＣＡＮ＿ＲＳＰを受信してもよい。ＳＣＡＮ＿ＲＥＱとＳＣＡＮ＿ＲＳＰを実施するか否かは、アドバタイズパケットの種類による一般的な動作であるので詳細な説明は省略する。
【０１４１】
ＣＯＮＮＥＣＴ＿ＲＥＱを送信した送電装置１０１のＴＸ通信部Ｃ１３１は、受電装置２０１のＲＸ通信部Ｃ２３１へＤＡＴＡ＿ＰＡＣＫＥＴを送信し、ＤＡＴＡ＿ＰＡＣＫＥＴを受信する。
【０１４２】
ＤＡＴＡ＿ＰＡＣＫＥＴを受信した送電装置１０１のＴＸ通信部Ｃ１３１はＴＸ制御部１０２に対してＣＯＭＰ＿ＣＯＭ−Ｃ＿ＣＯＮＮＥＣＴコマンドで送電装置１０１のＴＸ通信部Ｃ１３１と受電装置２０１のＲＸ通信部Ｃ２３１との接続完了を通知する。
【０１４３】
Ｓ５０７では、受電装置２０１のＲＸ通信部Ｃ２３１は送電装置１０１からＣＯＮＮＥＣＴ＿ＲＥＱを受信する。そして、受電装置２０１のＲＸ通信部Ｃ２３１はＲＸ制御部２０２に対してＳＴＡＲＴ＿ＣＯＭ−Ｃ＿ＣＯＮＮＥＣＴコマンドで送電装置１０１のＴＸ通信部Ｃ１３１と受電装置２０１のＲＸ通信部Ｃ２３１の接続を開始したことを通知する。
【０１４４】
そして、受電装置２０１のＲＸ通信部Ｃ２３１は、送電装置１０１のＴＸ通信部Ｃ１３１からＤＡＴＡ＿ＰＡＣＫＥＴを受信し、送電装置１０１のＴＸ通信部Ｃ１３１へＤＡＴＡ＿ＰＡＣＫＥＴを送信する。
【０１４５】
ＤＡＴＡ＿ＰＡＣＫＥＴを送信した受電装置２０１のＲＸ通信部Ｃ２３１はＲＸ制御部２０２に対してＣＯＭＰ＿ＣＯＭ−Ｃ＿ＣＯＮＮＥＣＴコマンドで送電装置１０１のＴＸ通信部Ｃ１３１と受電装置２０１のＲＸ通信部Ｃ２３１との接続完了を通知する。
【０１４６】
Ｓ５０８では、送電装置１０１のＴＸ制御部１０２はＳＥＲＶＩＣＥ＿ＤＩＳＣＯＶＥＲＹコマンドでＴＸ通信部Ｃ１３１を用いて受電装置２０１のＲＸ通信部Ｃ２３１のＧＡＴＴサーバのデータベースに含まれるサービスセットの取得を要求する。
【０１４７】
ＳＥＲＶＩＣＥ＿ＤＩＳＣＯＶＥＲＹコマンドを受けた送電装置１０１のＴＸ通信部Ｃ１３１は、受電装置２０１のＲＸ通信部Ｃ２３１へＤＡＴＡ＿ＰＡＣＫＥＴを送信しＤＡＴＡ＿ＰＡＣＫＥＴを受信する。
【０１４８】
ＤＡＴＡ＿ＰＡＣＫＥＴを受信した送電装置１０１のＴＸ通信部Ｃ１３１はＴＸ制御部１０２へＤＩＳＣＯＶＥＲＹ＿ＲＥＳＰＯＮＣＥを返す。
【０１４９】
Ｓ５０９では、受電装置２０１のＲＸ通信部Ｃ２３１は送電装置１０１のＴＸ通信部Ｃ１３１とＤＡＴＡ＿ＰＡＣＫＥＴを送受信する。そして、受電装置２０１のＲＸ通信部Ｃ２３１はＲＸ制御部２０２に対してＳＥＲＶＩＣＥ＿ＤＩＳＣＯＶＥＲＹコマンドで送電装置１０１からのＧＡＴＴサーバのデータベースに含まれるサービスセットの取得要求を通知する。
【０１５０】
ＳＥＲＶＩＣＥ＿ＤＩＳＣＯＶＥＲＹコマンドを受けた受電装置２０１のＲＸ制御部２０２は、受電装置２０１の状態をＲＥＳＰＯＮＳＥとしてＲＸ通信部Ｃ２３１に返す。
ＲＥＳＰＯＮＳＥコマンドを受けた受電装置２０１のＲＸ通信部Ｃ２３１は、ＲＸ通信部Ｃ２３１のＧＡＴＴサーバのデータベースのＳｅｒｖｉｃｅのＣｈａｒａｃｔｅｒｉｓｔｉｃ ＶＡＬＵＥを更新する。そして、送電装置１０１のＴＸ通信部Ｃ１３１へＤＡＴＡ＿ＰＡＣＫＥＴを送信する。
【０１５１】
Ｓ５１０では、送電装置１０１のＴＸ制御部１０２はＳ５０８のＲＥＳＰＯＮＳＥより、受電装置２０１のＲＸ通信部Ｃ２３１のＧＡＴＴサーバのデータベースのサービスセットを取得し、送電装置１０１に対応するサービスセットではないことを確認する。
【０１５２】
Ｓ５１１では、送電装置１０１のＴＸ制御部１０２はＴＥＲＭＩＮＡＴＥ＿ＣＯＭ−Ｃ＿ＣＯＮＮＥＣＴコマンドでＴＸ通信部Ｃ１３１を用いて受電装置２０１のＲＸ通信部Ｃ２３１との接続解除を開始する。
【０１５３】
ＴＥＲＭＩＮＡＴＥ＿ＣＯＭ―Ｃ＿ＬＩＮＫコマンドを受けた送電装置１０１のＴＸ通信部Ｃ１３１は、受電装置２０１のＲＸ通信部Ｃ２３１へＤＡＴＡ＿ＰＡＣＫＥＴを送信する。
【０１５４】
送電装置１０１のＴＸ通信部Ｃ１３１は、受電装置２０１のＲＸ通信部Ｃ２３１からＤＡＴＡ＿ＰＡＣＫＥＴを受信する。そして、送電装置１０１のＴＸ通信部Ｃ１３１は、ＴＸ制御部１０２に対してＤＩＳＣＯＮＮＥＣＴ＿ＣＯＭ−Ｃコマンドで送電装置１０１のＴＸ通信部Ｃ１３１と受電装置２０１のＲＸ通信部Ｃ２３１との接続解除完了を通知する。
【０１５５】
Ｓ５１２では、受電装置２０１のＲＸ通信部Ｃ２３１は送電装置１０１からＤＡＴＡ＿ＰＡＣＫＥＴを受信し、送電装置１０１のＴＸ通信部Ｃ１３１へＤＡＴＡ＿ＰＡＣＫＥＴを送信する。そして、受電装置２０１のＲＸ通信部Ｃ２３１はＲＸ制御部２０２に対してＴＥＲＭＩＮＡＴＥ＿ＣＯＭ−Ｃ＿ＬＩＮＫコマンドで送電装置１０１のＴＸ通信部Ｃ１３１と受電装置２０１のＲＸ通信部Ｃ２３１の接続解除を開始したことを通知する。
【０１５６】
受電装置２０１のＲＸ制御部２０２は、ＲＸ通信部Ｃ２３１へＲＥＳＰＯＮＳＥを返し、ＲＸ通信部Ｃ２３１は、送電装置１０１のＴＸ通信部Ｃ１３１へＤＡＴＡ＿ＰＡＣＫＥＴを送信する。
【０１５７】
ＤＡＴＡ＿ＰＡＣＫＥＴを送信した受電装置２０１のＲＸ通信部Ｃ２３１はＲＸ制御部２０２に対してＤＩＳＣＯＮＮＥＣＴ＿ＣＯＭ−Ｃコマンドで送電装置１０１のＴＸ通信部Ｃ１３１と受電装置２０１のＲＸ通信部Ｃ２３１との接続解除完了を通知する。
【０１５８】
図５において、受電装置２０１のＲＸ電池２０３の電圧が第２の閾値以上の場合は、Ｓ５０３、Ｓ５０４、Ｓ５０５、・・・・のシーケンスを繰り返すことになる。
【０１５９】
次に、図６を用いて、送電装置１０１と受電装置２０１の間で無線給電を行うシーケンス（後半）を説明する。
【０１６０】
Ｓ５０１では、送電装置１０１のＴＸ制御部１０２はＴＸ送電部Ａ１１１を制御して無線で予備電力を送電する。本実施形態では、Ｓ５０１で送電する予備電力の周波数は６．７８ＭＨｚとし、送電電力は任意の値、例えば０．２５Ｗとする。送電装置１０１はＳ５０１の予備電力の送電相手の有無に関わらず行うものとする。ただし、予備電力の送電は連続的でも間欠的のどちらでもよい。
【０１６１】
Ｓ５０２では、受電装置２０１のＲＸ制御部２０２はＲＸ電池２０３が挿入されたことをトリガーとして動作を開始する。そして、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。また、ＲＸ通信部Ｃ２３１から送信するアドバタイズパケットを第４のアドバタイズパケットに設定する。
【０１６２】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０１６３】
Ｓ５０３では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ａ）のように無線通信装置３０１と受電装置２０１が離れている状態であるので、第４のアドバタイズパケットＡＤＶ＿ＩＮＤ＿４は無線通信装置３０１には届かないものとする。
【０１６４】
Ｓ６５０では、受電装置２０１のＲＸ電池２０３の電圧が第２の閾値未満になった場合、受電装置２０１のＲＸ制御部２０２はＲＸ電池２０３の電圧が第２の閾値未満であることを検出する。
【０１６５】
Ｓ６０６では、受電装置２０１のＲＸ制御部２０２はＧＡＴＴサーバのデータベース変更イベントを発生する。
【０１６６】
Ｓ６０７では、受電装置２０１のＲＸ制御部２０２はＳＥＴ＿ＧＡＴＴ＿ＳＥＲＶＥＲ＿ＤＢ２コマンドでＲＸ通信部Ｃ２３１のＧＡＴＴサーバのデータベースを第２のサービス設定にする。そして、ＲＸ通信部Ｃ２３１から送信するアドバタイズパケットを第４のアドバタイズパケットに設定する。
【０１６７】
受電装置２０１のＲＸ制御部２０２は、図１２に示す受電装置２０１のＲＸ通信部Ｃ２３１のＧＡＴＴサーバのデータベースを図１２（ｂ）のように第２のサービス設定にする。
【０１６８】
Ｓ６０８では、受電装置２０１のＲＸ通信部Ｃ２３１は第４のアドバタイズパケットＡＤＶ＿ＩＮＤ＿４を送信し、ＢＬＥセントラルのアドバタイズを行う。
【０１６９】
Ｓ６０９では、送電装置１０１のＴＸ制御部１０２はＧＥＴ＿ＡＤＶ＿ＩＮＤコマンドでＴＸ通信部Ｃ１３１を用いてアドバタイズパケットをスキャンし、スキャンの結果をＲＥＳＰＯＮＳＥとしてＴＸ制御部１０２に返す。
【０１７０】
Ｓ６１０では、送電装置１０１のＴＸ制御部１０２はＳ６０９のスキャンの結果であるＲＥＳＰＯＮＳＥより、第４のアドバタイズパケットＡＤＶ＿ＩＮＤ＿４の値を取得する。そして、第４のアドバタイズパケットが送電装置１０１に対応するサービスを含んでいることを確認する。
【０１７１】
Ｓ６１１では、送電装置１０１のＴＸ制御部１０２はＳＴＡＲＴ＿ＣＯＭ−Ｃ＿ＣＯＮＮＥＣＴコマンドでＴＸ通信部Ｃ１３１を用いて受電装置２０１のＲＸ通信部Ｃ２３１との接続を開始する。
【０１７２】
ＳＴＡＲＴ＿ＣＯＭ−Ｃ＿ＣＯＮＮＥＣＴコマンドを受けた送電装置１０１のＴＸ通信部Ｃ１３１は、受電装置２０１のＲＸ通信部Ｃ２３１へＣＯＮＮＥＣＴ＿ＲＥＱを送信する。
【０１７３】
なお、送電装置１０１のＴＸ通信部Ｃ１３１は、ＣＯＮＮＥＣＴ＿ＲＥＱを送信する前に受電装置２０１のＲＸ通信部Ｃ２３１へＳＣＡＮ＿ＲＥＱを送信し、ＳＣＡＮ＿ＲＳＰを受信してもよい。ＳＣＡＮ＿ＲＥＱとＳＣＡＮ＿ＲＳＰを実施するか否かは、アドバタイズパケットの種類による一般的な動作であるので詳細な説明は省略する。
【０１７４】
ＣＯＮＮＥＣＴ＿ＲＥＱを送信した送電装置１０１のＴＸ通信部Ｃ１３１は、受電装置２０１のＲＸ通信部Ｃ２３１とＤＡＴＡ＿ＰＡＣＫＥＴを送受信する。
【０１７５】
ＤＡＴＡ＿ＰＡＣＫＥＴを受信した送電装置１０１のＴＸ通信部Ｃ１３１はＴＸ制御部１０２に対してＣＯＭＰ＿ＣＯＭ−Ｃ＿ＣＯＮＮＥＣＴコマンドで送電装置１０１のＴＸ通信部Ｃ１３１と受電装置２０１のＲＸ通信部Ｃ２３１との接続完了を通知する。
【０１７６】
Ｓ６１２では、受電装置２０１のＲＸ通信部Ｃ２３１は送電装置１０１からＣＯＮＮＥＣＴ＿ＲＥＱを受信する。そして、受電装置２０１のＲＸ通信部Ｃ２３１はＲＸ制御部２０２に対してＳＴＡＲＴ＿ＣＯＭ−Ｃ＿ＣＯＮＮＥＣＴコマンドで送電装置１０１のＴＸ通信部Ｃ１３１と受電装置２０１のＲＸ通信部Ｃ２３１の接続を開始したことを通知する。
【０１７７】
受電装置２０１のＲＸ通信部Ｃ２３１は、送電装置１０１のＴＸ通信部Ｃ１３１からＤＡＴＡ＿ＰＡＣＫＥＴを受信し、送電装置１０１のＴＸ通信部Ｃ１３１へＤＡＴＡ＿ＰＡＣＫＥＴを送信する。
【０１７８】
ＤＡＴＡ＿ＰＡＣＫＥＴを送信した受電装置２０１のＲＸ通信部Ｃ２３１はＲＸ制御部２０２に対してＣＯＭＰ＿ＣＯＭ−Ｃ＿ＣＯＮＮＥＣＴコマンドで送電装置１０１のＴＸ通信部Ｃ１３１と受電装置２０１のＲＸ通信部Ｃ２３１との接続完了を通知する。
【０１７９】
Ｓ６５１では、送電装置１０１のＴＸ制御部１０２はＳＥＲＶＩＣＥ＿ＤＩＳＣＯＶＥＲＹコマンドでＴＸ通信部Ｃ１３１を用いて受電装置２０１のＲＸ通信部Ｃ２３１のＧＡＴＴサーバのデータベースに含まれるサービスセットの取得を要求する。
【０１８０】
ＳＥＲＶＩＣＥ＿ＤＩＳＣＯＶＥＲＹコマンドを受けた送電装置１０１のＴＸ通信部Ｃ１３１は、受電装置２０１のＲＸ通信部Ｃ２３１へＤＡＴＡ＿ＰＡＣＫＥＴを送信し、受電装置２０１からＤＡＴＡ＿ＰＡＣＫＥＴを受信する。
【０１８１】
ＤＡＴＡ＿ＰＡＣＫＥＴを受信した送電装置１０１のＴＸ通信部Ｃ１３１は、ＴＸ制御部１０２へＤＩＳＣＯＶＥＲＹ＿ＲＥＳＰＯＮＣＥを返す。
【０１８２】
Ｓ６５２では、受電装置２０１のＲＸ通信部Ｃ２３１は送電装置１０１のＴＸ通信部Ｃ１３１とＤＡＴＡ＿ＰＡＣＫＥＴを送受信する。そして、受電装置２０１のＲＸ通信部Ｃ２３１は、ＲＸ制御部２０２に対してＳＥＲＶＩＣＥ＿ＤＩＳＣＯＶＥＲＹコマンドで送電装置１０１からのＧＡＴＴサーバのデータベースに含まれるサービスセットの取得要求を通知する。
【０１８３】
ＳＥＲＶＩＣＥ＿ＤＩＳＣＯＶＥＲＹコマンドを受けた受電装置２０１のＲＸ制御部２０２は、受電装置２０１の状態をＲＥＳＰＯＮＳＥとしてＲＸ通信部Ｃ２３１に返す。ＲＥＳＰＯＮＳＥコマンドを受けた受電装置２０１のＲＸ通信部Ｃ２３１はＧＡＴＴサーバのデータベースのＳｅｒｖｉｃｅのＣｈａｒａｃｔｅｒｉｓｔｉｃ ＶＡＬＵＥを更新する。そして、送電装置１０１のＴＸ通信部Ｃ１３１へＤＡＴＡ＿ＰＡＣＫＥＴを送信する。
【０１８４】
Ｓ６５３では、送電装置１０１のＴＸ制御部１０２はＳ６５１のＲＥＳＰＯＮＳＥより、受電装置２０１のＲＸ通信部Ｃ２３１のＧＡＴＴサーバのデータベースのサービスセットを取得し、送電装置１０１に対応するサービスセットであることを確認する。
【０１８５】
Ｓ６１３では、ＲＸ通信部Ｃ２３１のＧＡＴＴサーバのデータベースのサービスセットが、対応するサービスセットであることを確認した送電装置１０１のＴＸ制御部１０２は、ＳＴＡＲＴ＿ＷＰＴコマンドで受電装置２０１との無線給電サービスを開始する。
【０１８６】
ＳＴＡＲＴ＿ＷＰＴコマンドを受けた送電装置１０１のＴＸ通信部Ｃ１３１は、受電装置２０１のＲＸ通信部Ｃ２３１とＤＡＴＡ＿ＰＡＣＫＥＴを送受信し、受電装置２０１へ無線給電サービスの開始を通知する。
【０１８７】
ＤＡＴＡ＿ＰＡＣＫＥＴを受信した送電装置１０１のＴＸ通信部Ｃ１３１はＴＸ制御部１０２に対してＲＥＳＰＯＮＳＥコマンドで受電装置２０１へ無線給電サービスの開始を通知したことを通知する。
【０１８８】
送電装置１０１のＴＸ制御部１０２は、ＴＸ通信部Ｃ１３１へＲＥＡＤ＿ＷＰＴ＿ＳＴＡＴＵＳコマンドで受電装置２０１から無線給電サービスに必要なパラメータの取得を要求する。
【０１８９】
送電装置１０１のＴＸ通信部Ｃ１３１は、受電装置２０１のＲＸ通信部Ｃ２３１とＤＡＴＡ＿ＰＡＣＫＥＴを送受信し、受電装置２０１から無線給電サービスに必要なパラメータを取得する。
【０１９０】
なお、無線給電サービスに必要なパラメータとは、図１２（ｂ）に示す受電装置２０１のＲＸ通信部Ｃ２３１のＧＡＴＴサーバのデータベースのＳｅｒｖｉｃｅ２のＣｈａｒａｃｔｅｒｉｓｔｉｃ ＶＡＬＵＥのことである。
【０１９１】
ＤＡＴＡ＿ＰＡＣＫＥＴを受信した送電装置１０１のＴＸ通信部Ｃ１３１はＴＸ制御部１０２に対してＲＥＳＰＯＮＳＥコマンドで受電装置２０１から取得した無線給電サービスに必要なパラメータを通知する。
【０１９２】
Ｓ６１４では、ＤＡＴＡ＿ＰＡＣＫＥＴを受送信した受電装置２０１のＲＸ通信部Ｃ２３１はＲＸ制御部２０２に対してＳＴＡＲＴ＿ＷＰＴコマンドで送電装置１０１との無線給電サービスを開始したことを通知する。
【０１９３】
ＤＡＴＡ＿ＰＡＣＫＥＴを受信した受電装置２０１のＲＸ通信部Ｃ２３１はＲＸ制御部２０２に対してＲＥＡＤ＿ＷＰＴ＿ＳＴＡＴＵＳコマンドで無線給電サービスに必要なパラメータの取得を通知する。
【０１９４】
ＲＥＡＤ＿ＷＰＴ＿ＳＴＡＴＵＳコマンドを受けた受電装置２０１のＲＸ制御部２０２は、受電装置２０１の状態をＲＥＳＰＯＮＳＥとしてＲＸ通信部Ｃ２３１に返す。
【０１９５】
ＲＥＳＰＯＮＳＥコマンドを受けた受電装置２０１のＲＸ通信部Ｃ２３１はＧＡＴＴサーバのデータベースのＳｅｒｖｉｃｅのＣｈａｒａｃｔｅｒｉｓｔｉｃ ＶＡＬＵＥを更新する。そして、送電装置１０１のＴＸ通信部Ｃ１３１へＤＡＴＡ＿ＰＡＣＫＥＴを送信する。
【０１９６】
Ｓ６１５では、ＲＥＳＰＯＮＳＥコマンドを受けた送電装置１０１のＴＸ制御部１０２は、ＷＰＴ＿ＰＯＷＥＲ＿ＥＮコマンドでＴＸ送電部Ａ１１１を制御し、ＴＸ送電アンテナＡ１１３から無線で送電する電力を設定し、無線で電力の送電を開始する。
【０１９７】
ここで設定する無線電力は、Ｓ６１３で取得した受電装置２０１の無線給電に必要なパラメータに従うものとする。例えば図１２（ｂ）に示す受電装置２０１のＲＸ通信部Ｃ２３１のＧＡＴＴサーバデータベースのＣｈａｒａｃｔｅｒｉｓｔｉｃ ＶＡＬＵＥの“最大受電電力”未満であり、“送受電要求電力”に設定するものとする。
【０１９８】
送電装置１０１は、ＴＸ送電アンテナＡ１１３から受電装置２０１の受電アンテナＡ２１３へ無線で送電している間、受電装置２０１と無線給電サービスに必要なパラメータの交換を継続する。
【０１９９】
送電装置１０１のＴＸ通信部Ｃ１３１は、受電装置２０１のＲＸ通信部Ｃ２３１からＤＡＴＡ＿ＰＡＣＫＥＴを受信し、ＴＸ制御部１０２に対してＦＵＬＬ＿ＢＡＴＴＥＲＹ＿ＮＯＴＩＦＹコマンドで受電装置２０１のＲＸ電池２０３の充電完了通知を取得する。
【０２００】
Ｓ６１６では、送電装置１０１のＴＸ制御部１０２は、ＴＸ送電アンテナＡ１１３から受電装置２０１の受電アンテナＡ２１３へ無線電力を送電する。ここで送電する無線電力の周波数は６．７８ＭＨｚとし、送電電力はＳ５０１で送電している予備電力よりも大きい。
【０２０１】
Ｓ６１７では、受電装置２０１のＲＸ制御部２０２は、送電装置１０１のＴＸ送電アンテナＡ１１３から送電される無線電力を受電アンテナＡ２１３で受電し、受電した電力でＲＸ電池２０３を充電する。そして、受電装置２０１のＲＸ制御部２０２は、ＲＸ電池２０３の充電状態などによってＲＸ通信部Ｃ２３１のＧＡＴＴサーバのデータベースのＳｅｒｖｉｃｅのＣｈａｒａｃｔｅｒｉｓｔｉｃ ＶＡＬＵＥを更新する。
【０２０２】
ＤＡＴＡ＿ＰＡＣＫＥＴを受信した受電装置２０１のＲＸ通信部Ｃ２３１はＲＸ制御部２０２に対してＲＥＡＤ＿ＷＰＴ＿ＳＴＡＴＵＳコマンドで無線給電サービスに必要なパラメータの取得を通知する。
【０２０３】
ＲＥＡＤ＿ＷＰＴ＿ＳＴＡＴＵＳコマンドを受けた受電装置２０１のＲＸ制御部２０２は、受電装置２０１の状態をＲＥＳＰＯＮＳＥとしてＲＸ通信部Ｃ２３１に返す。
【０２０４】
ＲＥＳＰＯＮＳＥコマンドを受けた受電装置２０１のＲＸ通信部Ｃ２３１はＧＡＴＴサーバのデータベースのＳｅｒｖｉｃｅのＣｈａｒａｃｔｅｒｉｓｔｉｃ ＶＡＬＵＥを更新する。そして、送電装置１０１のＴＸ通信部Ｃ１３１へＤＡＴＡ＿ＰＡＣＫＥＴを送信する。
【０２０５】
受電装置２０１は、受電アンテナＡ２１３で送電装置１０１のＴＸ送電アンテナＡ１１３から無線電力を受電している間、送電装置１０１と無線給電サービスに必要なパラメータの交換を継続する。
【０２０６】
ＲＸ電池２０３の充電が完了したら、受電装置２０１のＲＸ制御部２０２は、ＲＸ通信部Ｃ２３１へＦＵＬＬ＿ＢＡＴＴＥＲＹ＿ＮＯＴＩＦＹコマンドで、ＲＸ電池２０３の充電完了を通知する。
【０２０７】
ＦＵＬＬ＿ＢＡＴＴＥＲＹ＿ＮＯＴＩＦＹコマンドを受けたＲＸ通信部Ｃ２３１は、送電装置１０１のＴＸ通信部Ｃ１３１へＤＡＴＡ＿ＰＡＣＫＥＴを送信する。
【０２０８】
Ｓ６１８では、ＤＡＴＡ＿ＰＡＣＫＥＴを受信した送電装置１０１のＴＸ通信部Ｃ１３１は、受電装置２０１のＲＸ通信部Ｃ２３１へＤＡＴＡ＿ＰＡＣＫＥＴを送信する。
【０２０９】
ＦＵＬＬ＿ＢＡＴＴＥＲＹ＿ＮＯＴＩＦＹコマンドを受けたＴＸ制御部１０２は、ＷＰＴ＿ＰＯＷＥＲ＿ＤＩＳＡＢＬＥコマンドでＴＸ送電部Ａ１１１を制御し、ＴＸ送電アンテナＡ１１３から無線で送電する電力を停止し、予備電力送電を開始する。
【０２１０】
送電装置１０１のＴＸ制御部１０２は、ＥＮＤ＿ＷＰＴコマンドで受電装置２０１との無線給電サービスを終了する。
【０２１１】
ＥＮＤ＿ＷＰＴコマンドを受けたＴＸ通信部Ｃ１３１は、受電装置２０１のＲＸ通信部Ｃ２３１とＤＡＴＡ＿ＰＡＣＫＥＴを送受信し、受電装置２０１へ無線給電サービスの終了を通知する。そして、受電装置２０１から無線給電サービス終了のＲＥＳＰＯＮＳＥを取得する。
【０２１２】
ＤＡＴＡ＿ＰＡＣＫＥＴを受信した送電装置１０１のＴＸ通信部Ｃ１３１はＴＸ制御部１０２に対してＲＥＳＰＯＮＳＥコマンドで受電装置２０１の無線給電サービスが終了したことを通知する。
【０２１３】
Ｓ６１９では、送電装置１０１のＴＸ制御部１０２は、ＴＸ送電アンテナＡ１１３から受電装置２０１の受電アンテナＡ２１３へ送電している無線電力を停止し、予備電力の送電を開始する。その後、送電装置１０１は、Ｓ５０１の予備電力の送電相手の有無に関わらず行うものとする。ただし、予備電力の送電は連続的でも間欠的のどちらでもよい。
【０２１４】
Ｓ６２０では、受電装置２０１のＲＸ通信部Ｃ２３１は送電装置１０１のＴＸ通信部Ｃ１３１からＤＡＴＡ＿ＰＡＣＫＥＴを受信する。そして、受電装置２０１のＲＸ通信部Ｃ２３１はＲＸ制御部２０２に対してＥＮＤ＿ＷＰＴコマンドで無線給電サービスが終了したことを通知する。そして、受電装置２０１のＲＸ制御部２０２は、ＲＥＳＰＯＮＳＥをＲＸ通信部Ｃ２３１に返す。
【０２１５】
ＥＳＰＯＮＳＥコマンドを受けた受電装置２０１のＲＸ通信部Ｃ２３１は、送電装置１０１のＴＸ通信部Ｃ１３１へＤＡＴＡ＿ＰＡＣＫＥＴを送信する。受電装置２０１の受電アンテナＡ２１３が送電装置１０１のＴＸ送電アンテナＡ１１３から受電していた無線電力は停止し、予備電力の受電に切り替わる。
【０２１６】
Ｓ６２１では、送電装置１０１のＴＸ制御部１０２は、ＴＥＲＭＩＮＡＴＥ＿ＣＯＭ−Ｃ＿ＣＯＮＮＥＣＴコマンドでＴＸ通信部Ｃ１３１を用いて受電装置２０１のＲＸ通信部Ｃ２３１との接続解除を開始する。
【０２１７】
ＴＥＲＭＩＮＡＴＥ＿ＣＯＭ―Ｃ＿ＬＩＮＫコマンドを受けた送電装置１０１のＴＸ通信部Ｃ１３１は、受電装置２０１のＲＸ通信部Ｃ２３１とＤＡＴＡ＿ＰＡＣＫＥＴを送受信する。
【０２１８】
ＤＡＴＡ＿ＰＡＣＫＥＴを受信した送電装置１０１のＴＸ通信部Ｃ１３１はＴＸ制御部１０２に対してＤＩＳＣＯＮＮＥＣＴ＿ＣＯＭ−Ｃコマンドで送電装置１０１のＴＸ通信部Ｃ１３１と受電装置２０１のＲＸ通信部Ｃ２３１との接続解除完了を通知する。
【０２１９】
Ｓ６２２では、受電装置２０１のＲＸ通信部Ｃ２３１は送電装置１０１のＴＸ通信部Ｃ１３１とＤＡＴＡ＿ＰＡＣＫＥＴを送受信する。そして、受電装置２０１のＲＸ通信部Ｃ２３１はＲＸ制御部２０２に対してＴＥＲＭＩＮＡＴＥ＿ＣＯＭ−Ｃ＿ＬＩＮＫコマンドで送電装置１０１のＴＸ通信部Ｃ１３１と受電装置２０１のＲＸ通信部Ｃ２３１の接続解除を開始したことを通知する。
【０２２０】
受電装置２０１のＲＸ制御部２０２は、ＲＸ通信部Ｃ２３１へＲＥＳＰＯＮＳＥを返し、ＲＸ通信部Ｃ２３１は、送電装置１０１のＴＸ通信部Ｃ１３１へＤＡＴＡ＿ＰＡＣＫＥＴを送信する。
【０２２１】
ＤＡＴＡ＿ＰＡＣＫＥＴを送信した受電装置２０１のＲＸ通信部Ｃ２３１はＲＸ制御部２０２に対してＤＩＳＣＯＮＮＥＣＴ＿ＣＯＭ−Ｃコマンドで送電装置１０１のＴＸ通信部Ｃ１３１と受電装置２０１のＲＸ通信部Ｃ２３１との接続解除完了を通知する。
【０２２２】
Ｓ６２３では、受電装置２０１は、送電装置１０１との無線給電サービス実施によりＲＸ電池２０３の電圧は第２の閾値以上となっている。
【０２２３】
Ｓ５０２では、受電装置２０１のＲＸ制御部２０２は、無線通信装置３０１をアドバタイズするために、ＧＡＴＴサーバのデータベース変更イベントをクリアする。そして、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。また、ＲＸ通信部Ｃ２３１から送信するアドバタイズパケットを第４のアドバタイズパケットに設定する。
【０２２４】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０２２５】
図６において、受電装置２０１のＲＸ電池２０３の電圧が第２の閾値以上の場合は、Ｓ５０３、Ｓ５０４、Ｓ５０５、・・・・のシーケンスを繰り返すことになる。
【０２２６】
図５および図６では、受電装置２０１のＲＸ電池２０３の電圧が十分である場合は無線通信装置３０１向けのＧＡＴＴサーバのデータベースを提供する。受電装置２０１のＲＸ電池２０３の電圧が十分ではない場合は送電装置１０１向けのＧＡＴＴサーバのデータベースを提供する。
【０２２７】
受電装置２０１のＲＸ電池２０３の電圧によって、ＢＬＥセントラルで実施可能なサービスを自動的に選択することができるようになる。
【０２２８】
図１３（ａ）の位置関係では、受電装置２０１のＲＸ電池２０３の電圧が十分である場合は、受電装置２０１は無線通信装置３０１向けのＧＡＴＴサーバのデータベースの提供を行い、送電装置１０１とＢＬＥ接続は確立されても無線給電サービスは行われない。
【０２２９】
受電装置２０１のＲＸ電池２０３の電圧が十分ではない場合は、受電装置２０１は送電装置１０１向けのＧＡＴＴサーバのデータベースの提供を行い、送電装置１０１とＢＬＥ接続が確立され、送電装置１０１と無線給電サービスを行うことができる。また、受電装置２０１のＲＸ電池２０３の電圧が十分ではない場合は、受電装置２０１は無線通信装置３０１向けのＧＡＴＴサーバのデータベースの提供を行わず、無線通信装置３０１とのＢＬＥ接続は確立されてもハンドオーバーサービスは行われない。よって、受電装置２０１と無線通信装置３０１の間での無効なサービスの開始を防止することができる。
【０２３０】
次に、図７を用いて、無線通信装置３０１と受電装置２０１の間で無線通信を行うシーケンス（前半）を説明する。
【０２３１】
図７のシーケンスは、受電装置２０１のＲＸ電池２０３の電圧が第２の閾値以上であって、図１３（ｂ）のように、送電装置１０１と受電装置２０１が離れて配置され、無線通信装置３０１と受電装置２０１が接近している状態から動作を開始する。
【０２３２】
なお、図５および図６で説明した動作と同じ動作には同一の符号を付して説明は省略する。
【０２３３】
Ｓ５０２では、受電装置２０１のＲＸ制御部２０２はＲＸ電池２０３が挿入されたことをトリガーとして動作を開始する。そして、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。また、ＲＸ通信部Ｃ２３１から送信するアドバタイズパケットを第４のアドバタイズパケットに設定する。
【０２３４】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０２３５】
Ｓ７０３では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ｂ）のように送電装置１０１と受電装置２０１とは離れている状態であるので、第４のアドバタイズパケットＡＤＶ＿ＩＮＤ＿４は送電装置１０１には届かないものとする。
【０２３６】
Ｓ７０４では、無線通信装置３０１のＯＴＨ制御部３０２はＧＥＴ＿ＡＤＶ＿ＩＮＤコマンドでＯＴＨ通信部Ｃ３３１を用いてアドバタイズパケットをスキャンし、スキャンの結果をＲＥＳＰＯＮＳＥとしてＯＴＨ制御部３０２に返す。
【０２３７】
Ｓ７０５では、無線通信装置３０１のＯＴＨ制御部３０２はＳ３０４のスキャンの結果であるＲＥＳＰＯＮＳＥより、第４のアドバタイズパケットＡＤＶ＿ＩＮＤ＿４の値を取得する。そして、第４のアドバタイズパケットが無線通信装置３０１に対応するサービスを含んでいることを確認する。
【０２３８】
Ｓ７０６では、無線通信装置３０１のＯＴＨ制御部３０２はＳＴＡＲＴ＿ＣＯＭ−Ｃ＿ＣＯＮＮＥＣＴコマンドでＯＴＨ通信部Ｃ３３１を用いて受電装置２０１のＲＸ通信部Ｃ２３１との接続を開始する。
【０２３９】
ＳＴＡＲＴ＿ＣＯＭ−Ｃ＿ＣＯＮＮＥＣＴコマンドを受けた無線通信装置３０１のＯＴＨ通信部Ｃ３３１は、受電装置２０１のＲＸ通信部Ｃ２３１へＣＯＮＮＥＣＴ＿ＲＥＱを送信する。
【０２４０】
なお、無線通信装置３０１のＯＴＨ通信部Ｃ３３１は、ＣＯＮＮＥＣＴ＿ＲＥＱを送信する前に受電装置２０１のＲＸ通信部Ｃ２３１へＳＣＡＮ＿ＲＥＱを送信し、ＳＣＡＮ＿ＲＳＰを受信してもよい。ＳＣＡＮ＿ＲＥＱとＳＣＡＮ＿ＲＳＰを実施するか否かは、アドバタイズパケットの種類による一般的な動作であるので詳細な説明は省略する。
【０２４１】
ＣＯＮＮＥＣＴ＿ＲＥＱを送信した無線通信装置３０１のＯＴＨ通信部Ｃ３３１は、受電装置２０１のＲＸ通信部Ｃ２３１へＤＡＴＡ＿ＰＡＣＫＥＴを送信し、ＤＡＴＡ＿ＰＡＣＫＥＴを受信する。
【０２４２】
ＤＡＴＡ＿ＰＡＣＫＥＴを受信したＯＴＨ通信部Ｃ３３１はＯＴＨ制御部３０２に対してＣＯＭＰ＿ＣＯＭ−Ｃ＿ＣＯＮＮＥＣＴコマンドで無線通信装置３０１のＯＴＨ通信部Ｃ３３１と受電装置２０１のＲＸ通信部Ｃ２３１との接続完了を通知する。
【０２４３】
Ｓ７０７では、受電装置２０１のＲＸ通信部Ｃ２３１は無線通信装置３０１のＯＴＨ通信部Ｃ３３１からＣＯＮＮＥＣＴ＿ＲＥＱを受信する。そして、受電装置２０１のＲＸ通信部Ｃ２３１はＲＸ制御部２０２に対してＳＴＡＲＴ＿ＣＯＭ−Ｃ＿ＣＯＮＮＥＣＴコマンドで無線通信装置３０１のＯＴＨ通信部Ｃ３３１と受電装置２０１のＲＸ通信部Ｃ２３１の接続を開始したことを通知する。
【０２４４】
受電装置２０１のＲＸ通信部Ｃ２３１は、無線通信装置３０１のＯＴＨ通信部Ｃ３３１とＤＡＴＡ＿ＰＡＣＫＥＴを送受信する。
【０２４５】
ＤＡＴＡ＿ＰＡＣＫＥＴを送信したＲＸ通信部Ｃ２３１はＲＸ制御部２０２に対してＣＯＭＰ＿ＣＯＭ−Ｃ＿ＣＯＮＮＥＣＴコマンドで無線通信装置３０１のＯＴＨ通信部Ｃ３３１と受電装置２０１のＲＸ通信部Ｃ２３１との接続完了を通知する。
【０２４６】
Ｓ７５１では、無線通信装置３０１のＯＴＨ制御部３０２は、ＳＥＲＶＩＣＥ＿ＤＩＳＣＯＶＥＲＹコマンドでＯＴＨ通信部Ｃ３３１を用いて受電装置２０１のＲＸ通信部Ｃ２３１のＧＡＴＴサーバのデータベースに含まれるサービスセットの取得を要求する。
【０２４７】
ＳＥＲＶＩＣＥ＿ＤＩＳＣＯＶＥＲＹコマンドを受けた無線通信装置３０１のＯＴＨ通信部Ｃ３３１は、受電装置２０１のＲＸ通信部Ｃ２３１へＤＡＴＡ＿ＰＡＣＫＥＴを送信しＤＡＴＡ＿ＰＡＣＫＥＴを受信する。
【０２４８】
ＤＡＴＡ＿ＰＡＣＫＥＴを受信した無線通信装置３０１のＯＴＨ通信部Ｃ３３１はＯＴＨ制御部３０２に対してＤＩＳＣＯＶＥＲＹ＿ＲＥＳＰＯＮＣＥを返す。
【０２４９】
Ｓ７５２では、受電装置２０１のＲＸ通信部Ｃ２３１は無線通信装置３０１のＯＴＨ通信部Ｃ３３１とＤＡＴＡ＿ＰＡＣＫＥＴを送受信する。そして、受電装置２０１のＲＸ通信部Ｃ２３１はＲＸ制御部２０２に対してＳＥＲＶＩＣＥ＿ＤＩＳＣＯＶＥＲＹコマンドで無線通信装置３０１からのＧＡＴＴサーバのデータベースに含まれるサービスセットの取得要求を通知する。
【０２５０】
ＳＥＲＶＩＣＥ＿ＤＩＳＣＯＶＥＲＹコマンドを受けた受電装置２０１のＲＸ制御部２０２は、受電装置２０１の状態をＲＥＳＰＯＮＳＥとしてＲＸ通信部Ｃ２３１に返す。
【０２５１】
ＲＥＳＰＯＮＳＥコマンドを受けた受電装置２０１のＲＸ通信部Ｃ２３１はＧＡＴＴサーバのデータベースのＳｅｒｖｉｃｅのＣｈａｒａｃｔｅｒｉｓｔｉｃ ＶＡＬＵＥを更新する。そして、無線通信装置３０１のＯＴＨ通信部Ｃ３３１へＤＡＴＡ＿ＰＡＣＫＥＴを送信する。
【０２５２】
Ｓ７５３では、無線通信装置３０１のＯＴＨ制御部３０２はＳ７５１のＲＥＳＰＯＮＳＥより、受電装置２０１のＲＸ通信部Ｃ２３１のＧＡＴＴサーバのデータベースのサービスセットを取得する。そして、無線通信装置３０１に対応するサービスセットであることを確認する。
【０２５３】
Ｓ７０８では、無線通信装置３０１のＯＴＨ制御部３０２はＲ／Ｗ＿ＣＨＡＲ＿ＶＡＬＵＥコマンドで受電装置２０１とのハンドオーバーサービスに必要なパラメータの取得を要求する。
【０２５４】
無線通信装置３０１のＯＴＨ通信部Ｃ３３１は、受電装置２０１のＲＸ通信部Ｃ２３１とＤＡＴＡ＿ＰＡＣＫＥＴを送受信し、受電装置２０１からハンドオーバーサービスに必要なパラメータを取得する。
【０２５５】
なお、ハンドオーバーサービスに必要なパラメータとは、図１２（ａ）に示す受電装置２０１のＲＸ通信部Ｃ２３１のＧＡＴＴサーバのデータベースのＳｅｒｖｉｃｅ２のＣｈａｒａｃｔｅｒｉｓｔｉｃ ＶＡＬＵＥのことである。
【０２５６】
ＤＡＴＡ＿ＰＡＣＫＥＴを受信した無線通信装置３０１のＯＴＨ通信部Ｃ３３１はＯＴＨ制御部３０２に対してＣＡＨＲ＿ＶＡＬＵＥ＿ＲＥＳＰＯＮＳＥコマンドで受電装置２０１から取得したハンドオーバーサービスに必要なパラメータを通知する。
【０２５７】
無線通信装置３０１は、受電装置２０１のＲＸ通信部Ｃ２３１との接続を解除するまでの間、受電装置２０１とハンドオーバーサービスに必要なパラメータの交換を継続する。
【０２５８】
もし、ハンドオーバーサービスに必要なパラメータのうち、Ｓｅｒｖｉｃｅ１のＣｈａｒａｃｔｅｒｉｓｔｉｃ  ＶＡＬＵＥの“画像転送可否フラグ”が否から可になったら、“ＳＳＩＤ”、“ＰＡＳＳＷＯＲＤ”を更に要求し、それらの値を取得してもよい。そして、無線通信装置３０１のＯＴＨ通信部Ｄ３４１と、受電装置２０１のＲＸ通信部Ｄは、取得した“ＳＳＩＤ”、“ＰＡＳＳＷＯＲＤ”に従ってＷＬＡＮ接続を行い、画像データ転送などを行ってもよい。
【０２５９】
Ｓ７０９では、ＤＡＴＡ＿ＰＡＣＫＥＴを受信した受電装置２０１のＲＸ通信部Ｃ２３１はＲＸ制御部２０２に対してＲ／Ｗ＿ＣＨＡＲ＿ＶＡＬＵＥコマンドで無線通信装置３０１とのハンドオーバーサービスに必要なパラメータの取得を通知する。
【０２６０】
Ｒ／Ｗ＿ＣＨＡＲ＿ＶＡＬＵＥコマンドを受けた受電装置２０１のＲＸ制御部２０２は、受電装置２０１の状態をＲＥＳＰＯＮＳＥとしてＲＸ通信部Ｃ２３１に返す。ＲＥＳＰＯＮＳＥコマンドを受けた受電装置２０１のＲＸ通信部Ｃ２３１はＧＡＴＴサーバのデータベースのＳｅｒｖｉｃｅのＣｈａｒａｃｔｅｒｉｓｔｉｃ ＶＡＬＵＥを更新する。そして、無線通信装置３０１のＯＴＨ通信部Ｃ３３１へＤＡＴＡ＿ＰＡＣＫＥＴを送信する。
【０２６１】
受電装置２０１は、無線通信装置３０１のＯＴＨ通信部Ｃ３３１との接続を解除するまでの間、無線通信装置３０１とハンドオーバーサービスに必要なパラメータの交換を継続する。
【０２６２】
Ｓ６５０では、受電装置２０１のＲＸ電池２０３の電圧が第２の閾値未満になった場合、受電装置２０１のＲＸ制御部２０２は、ＲＸ電池２０３の電圧が第２の閾値未満であることを検出する。
【０２６３】
Ｓ６０６では、受電装置２０１のＲＸ制御部２０２は、ＲＸ通信部Ｃ２３１のＧＡＴＴサーバのデータベース変更イベントを発生する。
【０２６４】
Ｓ７１０では、受電装置２０１のＲＸ制御部２０２は、ＲＸ通信部Ｃ２３１へＤＩＳＣＯＮＮＥＣＴ＿ＮＯＴＩＦＹコマンドで、無線通信装置３０１のＯＴＨ通信部Ｃ３３１との接続解除を通知する。
【０２６５】
ＤＩＳＣＯＮＮＥＣＴ＿ＮＯＴＩＦＹコマンドを受けた受電装置２０１のＲＸ通信部Ｃ２３１は、無線通信装置３０１のＯＴＨ通信部Ｃ３３１とＤＡＴＡ＿ＰＡＣＫＥＴを送受信する。
【０２６６】
無線通信装置３０１のＯＴＨ通信部Ｃ３３１からＤＡＴＡ＿ＰＡＣＫＥＴを受信した受電装置２０１のＲＸ通信部Ｃ２３１は無線通信装置３０１のＯＴＨ通信部Ｃ３３１へＤＡＴＡ＿ＰＡＣＫＥＴを送信する。そして、受電装置２０１のＲＸ通信部Ｃ２３１はＲＸ制御部２０２に対してＴＥＲＭＩＮＡＴＥ＿ＣＯＭ−Ｃ＿ＬＩＮＫコマンドで、無線通信装置３０１のＯＴＨ通信部Ｃ３３１と受電装置２０１のＲＸ通信部Ｃ２３１の接続解除を開始したことを通知する。
【０２６７】
受電装置２０１のＲＸ制御部２０２はＲＸ通信部Ｃ２３１へＲＥＳＰＯＮＳＥを返し、ＲＸ通信部Ｃ２３１は無線通信装置３０１のＯＴＨ通信部Ｃ３３１へＤＡＴＡ＿ＰＡＣＫＥＴを送信する。
【０２６８】
ＤＡＴＡ＿ＰＡＣＫＥＴを送信した受電装置２０１のＲＸ通信部Ｃ２３１はＲＸ制御部２０２に対してＤＩＳＣＯＮＮＥＣＴ＿ＣＯＭ−Ｃコマンドで無線通信装置３０１のＯＴＨ通信部Ｃ３３１と受電装置２０１のＲＸ通信部Ｃ２３１との接続解除完了を通知する。
【０２６９】
Ｓ７１１では、無線通信装置３０１のＯＴＨ通信部Ｃ３３１は受電装置２０１のＲＸ通信部Ｃ２３１からＤＡＴＡ＿ＰＡＣＫＥＴを受信する。そして、無線通信装置３０１のＯＴＨ制御部３０２はＤＩＳＣＯＮＮＥＣＴ＿ＮＯＴＩＦＹコマンドでＯＴＨ通信部Ｃ３３１とＲＸ通信部Ｃ２３１の接続解除開始通知を取得する。
【０２７０】
無線通信装置３０１のＯＴＨ制御部３０２は、ＴＥＲＭＩＮＡＴＥ＿ＣＯＭ−Ｃ＿ＣＯＮＮＥＣＴコマンドでＯＴＨ通信部Ｃ３３１を用いて受電装置２０１のＲＸ通信部Ｃ２３１との接続解除を開始する。
【０２７１】
ＴＥＲＭＩＮＡＴＥ＿ＣＯＭ―Ｃ＿ＬＩＮＫコマンドを受けた無線通信装置３０１のＯＴＨ通信部Ｃ３３１は、受電装置２０１のＲＸ通信部Ｃ２３１とＤＡＴＡ＿ＰＡＣＫＥＴを送受信する。
【０２７２】
ＤＡＴＡ＿ＰＡＣＫＥＴを受信した無線通信装置３０１のＯＴＨ通信部Ｃ３３１はＯＴＨ制御部３０２に対してＤＩＳＣＯＮＮＥＣＴ＿ＣＯＭ−Ｃコマンドを送信する。これにより、無線通信装置３０１のＯＴＨ通信部Ｃ３３１と受電装置２０１のＲＸ通信部Ｃ２３１との接続解除完了を通知する。
【０２７３】
Ｓ６０７では、受電装置２０１のＲＸ制御部２０２はＳＥＴ＿ＧＡＴＴ＿ＳＥＲＶＥＲ＿ＤＢ２コマンドでＲＸ通信部Ｃ２３１のＧＡＴＴサーバのデータベースを第２のサービス設定にする。そして、ＲＸ通信部Ｃ２３１から送信するアドバタイズパケットを第４のアドバタイズパケットに設定する。
【０２７４】
受電装置２０１のＲＸ制御部２０２は、図１２に示す受電装置２０１のＲＸ通信部Ｃ２３１のＧＡＴＴサーバのデータベースを図１２（ｂ）のように第２のサービス設定にする。
【０２７５】
Ｓ７１２では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ｂ）のように送電装置１０１と受電装置２０１とは離れている状態であるので、第４のアドバタイズパケットＡＤＶ＿ＩＮＤ＿４は送電装置１０１には届かないものとする。
【０２７６】
Ｓ７１３では、無線通信装置３０１のＯＴＨ制御部３０２は、ＧＥＴ＿ＡＤＶ＿ＩＮＤコマンドでＯＴＨ通信部Ｃ３３１を用いてアドバタイズパケットをスキャンし、スキャンの結果をＲＥＳＰＯＮＳＥとしてＯＴＨ制御部３０２に返す。
【０２７７】
Ｓ７１４では、無線通信装置３０１のＯＴＨ制御部３０２はＳ３１３のスキャンの結果であるＲＥＳＰＯＮＳＥより、第４のアドバタイズパケットＡＤＶ＿ＩＮＤ＿４の値を取得する。そして、第４のアドバタイズパケットが無線通信装置３０１に対応するサービスを含んでいることを確認する。
【０２７８】
次に、図８を用いて、無線通信装置３０１と受電装置２０１の間で無線通信を行うシーケンス（後半）を説明する。
【０２７９】
Ｓ８０６では、無線通信装置３０１のＯＴＨ制御部３０２はＳＴＡＲＴ＿ＣＯＭ−Ｃ＿ＣＯＮＮＥＣＴコマンドでＯＴＨ通信部Ｃ３３１を制御して受電装置２０１のＲＸ通信部Ｃ２３１との接続を開始する。
【０２８０】
ＳＴＡＲＴ＿ＣＯＭ−Ｃ＿ＣＯＮＮＥＣＴコマンドを受けた無線通信装置３０１のＯＴＨ通信部Ｃ３３１は、受電装置２０１のＲＸ通信部Ｃ２３１へＣＯＮＮＥＣＴ＿ＲＥＱを送信する。
【０２８１】
なお、無線通信装置３０１のＯＴＨ通信部Ｃ３３１はＣＯＮＮＥＣＴ＿ＲＥＱを送信する前に受電装置２０１のＲＸ通信部Ｃ２３１へＳＣＡＮ＿ＲＥＱを送信し、ＳＣＡＮ＿ＲＳＰを受信してもよい。ＳＣＡＮ＿ＲＥＱとＳＣＡＮ＿ＲＳＰを実施するか否かは、アドバタイズパケットの種類による一般的な動作であるので詳細な説明は省略する。
【０２８２】
ＣＯＮＮＥＣＴ＿ＲＥＱを送信した無線通信装置３０１のＯＴＨ通信部Ｃ３３１は、受電装置２０１のＲＸ通信部Ｃ２３１とＤＡＴＡ＿ＰＡＣＫＥＴを送受信する。
【０２８３】
ＤＡＴＡ＿ＰＡＣＫＥＴを受信した無線通信装置３０１のＯＴＨ通信部Ｃ３３１はＯＴＨ制御部３０２に対してＣＯＭＰ＿ＣＯＭ−Ｃ＿ＣＯＮＮＥＣＴコマンドを送信する。これにより、無線通信装置３０１のＯＴＨ通信部Ｃ３３１と受電装置２０１のＲＸ通信部Ｃ２３１との接続完了を通知する。
【０２８４】
Ｓ８０７では、受電装置２０１のＲＸ通信部Ｃ２３１は無線通信装置３０１のＯＴＨ通信部Ｃ３３１からＣＯＮＮＥＣＴ＿ＲＥＱを受信する。そして、受電装置２０１のＲＸ通信部Ｃ２３１はＲＸ制御部２０２に対してＳＴＡＲＴ＿ＣＯＭ−Ｃ＿ＣＯＮＮＥＣＴコマンドで無線通信装置３０１のＯＴＨ通信部Ｃ３３１と受電装置２０１のＲＸ通信部Ｃ２３１の接続を開始したことを通知する。
【０２８５】
受電装置２０１のＲＸ通信部Ｃ２３１は、無線通信装置３０１のＯＴＨ通信部Ｃ３３１からＤＡＴＡ＿ＰＡＣＫＥＴを受信し、無線通信装置３０１のＯＴＨ通信部Ｃ３３１へＤＡＴＡ＿ＰＡＣＫＥＴを送信する。
【０２８６】
ＤＡＴＡ＿ＰＡＣＫＥＴを送信した受電装置２０１のＲＸ通信部Ｃ２３１はＲＸ制御部２０２に対してＣＯＭＰ＿ＣＯＭ−Ｃ＿ＣＯＮＮＥＣＴコマンドで無線通信装置３０１のＯＴＨ通信部Ｃ３３１と受電装置２０１のＲＸ通信部Ｃ２３１との接続完了を通知する。
【０２８７】
Ｓ８５１では、無線通信装置３０１のＯＴＨ制御部３０２はＳＥＲＶＩＣＥ＿ＤＩＳＣＯＶＥＲＹコマンドでＯＴＨ通信部Ｃ３３１を用いて受電装置２０１のＲＸ通信部Ｃ２３１のＧＡＴＴサーバのデータベースに含まれるサービスセットの取得を要求する。
【０２８８】
ＳＥＲＶＩＣＥ＿ＤＩＳＣＯＶＥＲＹコマンドを受けた無線通信装置３０１のＯＴＨ通信部Ｃ３３１は、受電装置２０１のＲＸ通信部Ｃ２３１とＤＡＴＡ＿ＰＡＣＫＥＴを送受信する。
【０２８９】
ＤＡＴＡ＿ＰＡＣＫＥＴを受信した無線通信装置３０１のＯＴＨ通信部Ｃ３３１はＯＴＨ制御部３０２に対してＤＩＳＣＯＶＥＲＹ＿ＲＥＳＰＯＮＣＥを返す。
【０２９０】
Ｓ８５２では、受電装置２０１のＲＸ通信部Ｃ２３１は無線通信装置３０１のＯＴＨ通信部Ｃ３３１とＤＡＴＡ＿ＰＡＣＫＥＴを送受信する。そして、受電装置２０１のＲＸ通信部Ｃ２３１はＲＸ制御部２０２に対してＳＥＲＶＩＣＥ＿ＤＩＳＣＯＶＥＲＹコマンドで無線通信装置３０１からのＧＡＴＴサーバのデータベースに含まれるサービスセットの取得要求を通知する。
【０２９１】
ＳＥＲＶＩＣＥ＿ＤＩＳＣＯＶＥＲＹコマンドを受けた受電装置２０１のＲＸ制御部２０２は、受電装置２０１の状態をＲＥＳＰＯＮＳＥとしてＲＸ通信部Ｃ２３１に返す。ＲＥＳＰＯＮＳＥコマンドを受けた受電装置２０１のＲＸ通信部Ｃ２３１はＧＡＴＴサーバのデータベースのＳｅｒｖｉｃｅのＣｈａｒａｃｔｅｒｉｓｔｉｃ ＶＡＬＵＥを更新する。そして、無線通信装置３０１のＯＴＨ通信部Ｃ３３１へＤＡＴＡ＿ＰＡＣＫＥＴを送信する。
【０２９２】
Ｓ８５３では、無線通信装置３０１のＯＴＨ制御部３０２はＳ８５１のＲＥＳＰＯＮＳＥより、受電装置２０１のＲＸ通信部Ｃ２３１のＧＡＴＴサーバのデータベースのサービスセットを取得する。そして、無線通信装置３０１に対応するサービスセットではないことを確認する。
【０２９３】
Ｓ８０８では、無線通信装置３０１のＯＴＨ制御部３０２は、ＴＥＲＭＩＮＡＴＥ＿ＣＯＭ−Ｃ＿ＣＯＮＮＥＣＴコマンドでＯＴＨ通信部Ｃ３３１を用いて受電装置２０１のＲＸ通信部Ｃ２３１との接続解除を開始する。
【０２９４】
ＴＥＲＭＩＮＡＴＥ＿ＣＯＭ―Ｃ＿ＬＩＮＫコマンドを受けた無線通信装置３０１のＯＴＨ通信部Ｃ３３１は、受電装置２０１のＲＸ通信部Ｃ２３１とＤＡＴＡ＿ＰＡＣＫＥＴを送受信する。
【０２９５】
ＤＡＴＡ＿ＰＡＣＫＥＴを受信した無線通信装置３０１のＯＴＨ通信部Ｃ３３１は、ＯＴＨ制御部３０２に対してＤＩＳＣＯＮＮＥＣＴ＿ＣＯＭ−Ｃコマンドを送信する。これにより、無線通信装置３０１のＯＴＨ通信部Ｃ３３１と受電装置２０１のＲＸ通信部Ｃ２３１との接続解除完了を通知する。
【０２９６】
Ｓ８０９では、ＤＡＴＡ＿ＰＡＣＫＥＴを受信した受電装置２０１のＲＸ通信部Ｃ２３１は、無線通信装置３０１のＯＴＨ通信部Ｃ３３１へＤＡＴＡ＿ＰＡＣＫＥＴを送信する。そして、受電装置２０１のＲＸ通信部Ｃ２３１はＲＸ制御部２０２に対してＴＥＲＭＩＮＡＴＥ＿ＣＯＭ−Ｃ＿ＬＩＮＫコマンドで無線通信装置３０１のＯＴＨ通信部Ｃ３３１と受電装置２０１のＲＸ通信部Ｃ２３１の接続解除を開始したことを通知する。
【０２９７】
受電装置２０１のＲＸ制御部２０２は、ＲＸ通信部Ｃ２３１へＲＥＳＰＯＮＳＥを返し、ＲＸ通信部Ｃ２３１は、無線通信装置３０１のＯＴＨ通信部Ｃ３３１へＤＡＴＡ＿ＰＡＣＫＥＴを送信する。
【０２９８】
ＤＡＴＡ＿ＰＡＣＫＥＴを送信したＲＸ通信部Ｃ２３１はＲＸ制御部２０２に対してＤＩＳＣＯＮＮＥＣＴ＿ＣＯＭ−Ｃコマンドで無線通信装置３０１のＯＴＨ通信部Ｃ３３１と受電装置２０１のＲＸ通信部Ｃ２３１との接続解除完了を通知する。
【０２９９】
図８において、受電装置２０１のＲＸ電池２０３の電圧が第２の閾値未満の場合は、Ｓ７１２、Ｓ７１３、Ｓ７１４、・・・・のシーケンスを繰り返すことになる。
【０３００】
図７および図８では、図５および図６のシーケンスと同様に、受電装置２０１のＲＸ電池２０３の電圧が十分である場合は無線通信装置３０１向けのＧＡＴＴサーバのデータベースを提供する。ＲＸ電池２０３の電圧が十分ではない場合は送電装置１０１向けのＧＡＴＴサーバのデータベースを提供する。
【０３０１】
受電装置２０１のＲＸ電池２０３の電圧によって、ＢＬＥセントラルで実施可能なサービスを自動的に選択することができるようになる。
【０３０２】
図１３（ｂ）の位置関係では、受電装置２０１のＲＸ電池２０３の電圧が十分である場合には、受電装置２０１は無線通信装置３０１向けのＧＡＴＴサーバのデータベースの提供を行い、無線通信装置３０１との間でハンドオーバーサービスを行うことができる。
【０３０３】
受電装置２０１のＲＸ電池２０３の電圧が十分ではない場合は、受電装置２０１は送電装置１０１向けのＧＡＴＴサーバのデータベースの提供を行い、無線通信装置３０１とＢＬＥ接続は確立されてもハンドオーバーサービスは行われない。
【０３０４】
また、受電装置２０１のＲＸ電池２０３の電圧が十分ではない場合は、受電装置２０１は無線通信装置３０１向けのＧＡＴＴサーバのデータベースの提供を行わず、無線通信装置３０１とのＢＬＥ接続は確立されてもハンドオーバーサービスは行われない。よって、受電装置２０１と無線通信装置３０１の間での無効なサービスの開始を防止することができる。
【０３０５】
次に、図９を用いて、送電装置１０１と受電装置２０１の間で無線給電を行うシーケンス（前半）を説明する。
【０３０６】
図９のシーケンスは、受電装置２０１のＲＸ電池２０３の電圧が第１の閾値未満であって、図１３（ｃ）のように、送電装置１０１と受電装置２０１と無線通信装置３０１が接近している状態から動作を開始する。
【０３０７】
なお、図５から図８で説明した動作と同じ動作には同一の符号を付して説明は省略する。
【０３０８】
Ｓ５０１では、送電装置１０１のＴＸ制御部１０２はＴＸ送電部Ａ１１１を制御して無線で予備電力を送電する。
【０３０９】
Ｓ１００２では、受電装置２０１のＲＸ制御部２０２はＲＸ電池２０３が挿入されたことをトリガーとして動作を開始する。ただし、ＲＸ電池２０３の電圧が第１の閾値以上ではない場合は正常な動作が保証されないため、ＲＸ通信部Ｃ２３１からアドバタイズパケットを送信しない。
【０３１０】
Ｓ１０５０では、受電装置２０１は、ＲＸ受電アンテナＡ２１３で受電した電磁波でＲＸ制御部２０２とＲＸ通信部Ｃ２３１を起動する。
【０３１１】
Ｓ６０６では、受電装置２０１のＲＸ制御部２０２はＲＸ通信部Ｃ２３１のＧＡＴＴサーバのデータベース変更イベントを発生する。
【０３１２】
Ｓ６０７では、受電装置２０１のＲＸ制御部２０２は、ＳＥＴ＿ＧＡＴＴ＿ＳＥＲＶＥＲ＿ＤＢ２コマンドでＲＸ通信部Ｃ２３１のＧＡＴＴサーバのデータベースを第２のサービス設定にする。そして、ＲＸ通信部Ｃ２３１から送信するアドバタイズパケットを第４のアドバタイズパケットに設定する。
【０３１３】
受電装置２０１のＲＸ制御部２０２は、図１２に示す受電装置２０１のＲＸ通信部Ｃ２３１のＧＡＴＴサーバのデータベースを図１２（ｂ）のように第２のサービス設定にする。
【０３１４】
Ｓ７１２では、受電装置２０１のＲＸ通信部Ｃ２３１は第４のアドバタイズパケットＡＤＶ＿ＩＮＤ＿４を送信し、ＢＬＥセントラルのアドバタイズを行う。
【０３１５】
Ｓ７１３では、無線通信装置３０１のＯＴＨ制御部３０２はＧＥＴ＿ＡＤＶ＿ＩＮＤコマンドでＯＴＨ通信部Ｃ３３１を用いてアドバタイズパケットをスキャンし、スキャンの結果をＲＥＳＰＯＮＳＥとしてＯＴＨ制御部３０２に返す。
【０３１６】
Ｓ７１４では、無線通信装置３０１のＯＴＨ制御部３０２はＳ７１３のスキャンの結果であるＲＥＳＰＯＮＳＥより、第４のアドバタイズパケットＡＤＶ＿ＩＮＤ＿４の値を取得する。そしえ、第４のアドバタイズパケットが無線通信装置３０１に対応するサービスを含んでいることを確認する。
【０３１７】
図９において、受電装置２０１のＲＸ電池２０３の電圧が第２の閾値未満の場合は、Ｓ８０６、Ｓ８０７、Ｓ８５１、Ｓ８５２、Ｓ８５３、Ｓ８０８、Ｓ８０９、Ｓ７１２、・・・・のシーケンスを繰り返すことになる。
【０３１８】
次に、図１０を用いて、送電装置１０１と受電装置２０１の間で無線給電を行うシーケンス（後半）を説明する。
【０３１９】
Ｓ５０１では、送電装置１０１のＴＸ制御部１０２はＴＸ送電部Ａ１１１を制御して無線で予備電力を送電する。
【０３２０】
Ｓ１００２では、受電装置２０１のＲＸ制御部２０２はＲＸ電池２０３が挿入されたことをトリガーとして動作を開始する。ただし、ＲＸ電池２０３の電圧が第１の閾値以上ではない場合は正常な動作が保証されないため、ＲＸ通信部Ｃ２３１からアドバタイズパケットを送信しない。
【０３２１】
Ｓ１０５０では、受電装置２０１は、ＲＸ受電アンテナＡ２１３で受電した電磁波でＲＸ制御部２０２とＲＸ通信部Ｃ２３１を起動する。
【０３２２】
Ｓ６０６では、受電装置２０１のＲＸ制御部２０２はＲＸ通信部Ｃ２３１のＧＡＴＴサーバのデータベース変更イベントを発生する。
【０３２３】
Ｓ６０７では、受電装置２０１のＲＸ制御部２０２はＳＥＴ＿ＧＡＴＴ＿ＳＥＲＶＥＲ＿ＤＢ２コマンドでＲＸ通信部Ｃ２３１のＧＡＴＴサーバのデータベースを第２のサービス設定にする。そして、ＲＸ通信部Ｃ２３１から送信するアドバタイズパケットを第４のアドバタイズパケットに設定する。
【０３２４】
受電装置２０１のＲＸ制御部２０２は、図１２に示す受電装置２０１のＲＸ通信部Ｃ２３１のＧＡＴＴサーバのデータベースを図１２（ｂ）のように第２のサービス設定にする。
【０３２５】
Ｓ６０８では、受電装置２０１のＲＸ通信部Ｃ２３１は第４のアドバタイズパケットＡＤＶ＿ＩＮＤ＿４を送信し、ＢＬＥセントラルのアドバタイズを行う。
【０３２６】
Ｓ６０９では、送電装置１０１のＴＸ制御部１０２はＧＥＴ＿ＡＤＶ＿ＩＮＤコマンドでＴＸ通信部Ｃ１３１を用いてアドバタイズパケットをスキャンし、スキャンの結果をＲＥＳＰＯＮＳＥとしてＴＸ制御部１０２に返す。
【０３２７】
Ｓ６１０では、送電装置１０１のＴＸ制御部１０２はＳ６０９のスキャンの結果であるＲＥＳＰＯＮＳＥより、第４のアドバタイズパケットＡＤＶ＿ＩＮＤ＿４の値を取得する。そして、第４のアドバタイズパケットが送電装置１０１に対応するサービスを含んでいることを確認する。
【０３２８】
Ｓ６１１からＳ６２２は図６で説明した動作と同じであるので説明は省略する。
【０３２９】
Ｓ６２３では、受電装置２０１は送電装置１０１との無線給電サービスの実施によりＲＸ電池２０３の電圧が第２の閾値以上となっている。
【０３３０】
Ｓ５０２では、受電装置２０１のＲＸ制御部２０２は、無線通信装置３０１をアドバタイズするために、ＲＸ通信部Ｃ２３１のＧＡＴＴサーバのデータベース変更イベントをクリアする。そして、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。また、ＲＸ通信部Ｃ２３１から送信するアドバタイズパケットを第４のアドバタイズパケットに設定する。
【０３３１】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０３３２】
Ｓ７０３では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ｂ）のように送電装置１０１と受電装置２０１とは離れている状態であるので、第４のアドバタイズパケットＡＤＶ＿ＩＮＤ＿４は送電装置１０１には届かないものとする。
【０３３３】
Ｓ７０４では、無線通信装置３０１のＯＴＨ制御部３０２はＧＥＴ＿ＡＤＶ＿ＩＮＤコマンドでＯＴＨ通信部Ｃ３３１を用いてアドバタイズパケットをスキャンし、スキャンの結果をＲＥＳＰＯＮＳＥとしてＯＴＨ制御部３０２に返す。
【０３３４】
Ｓ７０５では、無線通信装置３０１のＯＴＨ制御部３０２はＳ７０４のスキャンの結果であるＲＥＳＰＯＮＳＥより、第４のアドバタイズパケットＡＤＶ＿ＩＮＤ＿４の値を取得する。そして、第４のアドバタイズパケットが無線通信装置３０１に対応するサービスを含んでいることを確認する。
【０３３５】
Ｓ５０４では、送電装置１０１のＴＸ制御部１０２はＧＥＴ＿ＡＤＶ＿ＩＮＤコマンドでＴＸ通信部Ｃ１３１を用いてアドバタイズパケットをスキャンし、スキャンの結果をＲＥＳＰＯＮＳＥとしてＴＸ制御部１０２に返す。
【０３３６】
Ｓ５０５では、送電装置１０１のＴＸ制御部１０２はＳ５０４のスキャンの結果であるＲＥＳＰＯＮＳＥより、第４のアドバタイズパケットＡＤＶ＿ＩＮＤ＿４の値を取得する。そして、第４のアドバタイズパケットが送電装置１０１に対応するサービスを含んでいることを確認する。
【０３３７】
その後、図１０において、図５から図８で説明した各動作に対応するシーケンスを繰り返すことになる。
【０３３８】
図９および図１０では、受電装置２０１のＲＸ電池２０３の電圧が十分である場合は無線通信装置３０１向けのＧＡＴＴサーバのデータベースの提供を行う。ＲＸ電池２０３の電圧が十分ではない場合は送電装置１０１から予備電力の電磁波を受電して送電装置１０１向けのＧＡＴＴサーバのデータベースの提供を行う。
【０３３９】
受電装置２０１のＲＸ電池２０３の電圧によって、ＢＬＥセントラルで実施可能なサービスを自動的に選択することができるようになる。
【０３４０】
図１３（ｃ）の位置関係では、受電装置２０１のＲＸ電池２０３の電圧が十分である場合は、無線通信装置３０１向けのＧＡＴＴサーバのデータベースの提供を行い、送電装置１０１とＢＬＥ接続は確立されても無線給電サービスは行われない。
【０３４１】
受電装置２０１のＲＸ電池２０３の電圧が十分でなく、ＲＸ制御部２０２およびＲＸ通信部Ｃ２３１の正常な動作ができない場合は、受電装置２０１は、ＢＬＥセントラルのアドバタイズを行わない。
【０３４２】
受電装置２０１は送電装置１０１からの予備電力の電磁波をＲＸ受電アンテナＡ２１３で受電した場合、予備電力の電磁波を電力として送電装置１０１向けのＧＡＴＴサーバのデータベースの提供を行う。そして、送電装置１０１とＢＬＥ接続が確立され、送電装置１０１と無線給電サービスを行うことができる。
【０３４３】
また、受電装置２０１のＲＸ電池２０３の電圧が十分ではない場合は、受電装置２０１は無線通信装置３０１向けのＧＡＴＴサーバのデータベースの提供を行わず、無線通信装置３０１とのＢＬＥ接続が確立されてもハンドオーバーサービスは行われない。よって、受電装置２０１と無線通信装置３０１の間での無効なサービスの開始を防止することができる。
【０３４４】
［実施形態２］次に、図１４から図１６を用いて、実施形態２を説明する。
【０３４５】
実施形態１では、受電装置２０１の電池電圧の変化によって受電装置２０１のＧＡＴＴサーバのデータベースのＳｅｒｖｉｃｅを変更する処理を説明した。
【０３４６】
実施形態２では、受電装置２０１が送電装置１０１から受ける無線電力の電磁波によって受電装置２０１のＧＡＴＴサーバのデータベースのＳｅｒｖｉｃｅを変更する処理を説明する。
【０３４７】
本実施形態の送電装置１０１、受電装置２０１および無線通信装置３０１の構成は、実施形態１で説明した図１、図２、図３と同様である。また、本実施形態の受電装置２０１から送信するアドバタイズパケットのデータは図１１と同様であり、受電装置２０１のＧＡＴＴサーバのデータベース例は図１２と同様である。
【０３４８】
以下、図１４を用いて、受電装置２０１が送電装置１０１から受ける無線電力の電磁波によって受電装置２０１のＧＡＴＴサーバのデータベースのＳｅｒｖｉｃｅを変更する処理を説明する。
【０３４９】
図１４のフローチャートは受電装置２０１のＲＸ電池２０３が挿入されたことをトリガーとして開始される。
【０３５０】
なお、図１４のフローチャートは、図４のＳ４０２の処理に代えてＳ１４０１の処理を行う点が異なっている。よって、以下では、相違点を中心に説明を行う。
【０３５１】
Ｓ４０１で、受電装置２０１のＲＸ制御部２０２はＲＸ電池２０３の電圧が第１の閾値以上であると判定した場合、処理はＳ１４０１へ進む。
【０３５２】
Ｓ１４０１では、受電装置２０１のＲＸ制御部２０２は刺激入力があるか否かを判定する。Ｓ１４０１での刺激入力とは、例えば、ＲＸ電圧検出回路Ａ２１４の検出信号、ＲＸコネクタ２６０から入力された電力、ＲＸ検出回路Ｂ２１５の検出信号などである。また、Ｓ１４０１での刺激入力の判定は、単発的なノイズのマスクや誤操作を防止するために、刺激入力が一定時間継続した場合に刺激入力ありと判定し、一定時間継続しない場合に刺激入力なしと判定してもよい。
【０３５３】
Ｓ１４０１で、受電装置２０１のＲＸ制御部２０２は刺激入力がないと判定した場合、処理はＳ４２４へ進み、以降、図４で説明した処理を実施する。また、Ｓ１４０１で、受電装置２０１のＲＸ制御部２０２は刺激入力があると判定した場合、処理はＳ４０５へ進み、以降、図４で説明した処理を実施する。
【０３５４】
次に、受電装置２０１が図１４の処理を実施中における、図１３（ａ）〜（ｅ）に示す各状態での送電装置１０１、受電装置２０１および無線通信装置３０１の動作を、図１５および図１６を用いて説明する。
【０３５５】
まず、図１５を用いて、送電装置１０１と受電装置２０１の間で無線給電を行うシーケンスを説明する。
【０３５６】
図１５では、受電装置２０１のＲＸ電池２０３の電圧が第１の閾値以上であって、図１３（ｄ）のように送電装置１０１と受電装置２０１が離れた状態から動作を開始し、送電装置１０１と受電装置２０１が接近した状態となる動作とする。
【０３５７】
なお、実施形態１の図５から図１０で説明した動作と同じ動作には同一の符号を付して説明は省略する。
【０３５８】
Ｓ５０２では、受電装置２０１のＲＸ制御部２０２はＲＸ電池２０３が挿入されたことをトリガーとして動作を開始する。そして、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。また、ＲＸ通信部Ｃ２３１から送信するアドバタイズパケットを第４のアドバタイズパケットに設定する。
【０３５９】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０３６０】
Ｓ５０３では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ｄ）のように無線通信装置３０１と受電装置２０１が離れている状態であるので、第４のアドバタイズパケットＡＤＶ＿ＩＮＤ＿４は無線通信装置３０１には届かないものとする。
【０３６１】
Ｓ５０１では、送電装置１０１のＴＸ制御部１０２はＴＸ送電部Ａ１１１を制御して無線で予備電力を送電している。
【０３６２】
Ｓ１５５０では、受電装置２０１が送電装置１０１に接近し、送電装置１０１のＴＸ制御部１０２から送電する予備電力の電磁波、すなわち刺激入力があった場合、受電装置２０１のＲＸ制御部２０２は、刺激入力があることを検出する。
【０３６３】
Ｓ１５０６では、受電装置２０１のＲＸ制御部２０２はＲＸ通信部Ｃ２３１のＧＡＴＴサーバのデータベース変更イベントを発生する。
【０３６４】
Ｓ１５０７では、受電装置２０１のＲＸ制御部２０２はＳＥＴ＿ＧＡＴＴ＿ＳＥＲＶＥＲ＿ＤＢ２コマンドでＲＸ通信部Ｃ２３１のＧＡＴＴサーバのデータベースを第２のサービス設定にする。そして、ＲＸ通信部Ｃ２３１から送信するアドバタイズパケットを第４のアドバタイズパケットに設定する。
【０３６５】
受電装置２０１のＲＸ制御部２０２は、図１２に示す受電装置２０１のＲＸ通信部Ｃ２３１のＧＡＴＴサーバのデータベースを図１２（ｂ）のように第２のサービス設定にする。
【０３６６】
Ｓ６０８からＳ６２２は実施形態１の図６で説明した動作と同じである。
【０３６７】
Ｓ６２３では、受電装置２０１は、送電装置１０１との無線給電サービス実施によりＲＸ電池２０３の電圧が第２の閾値以上となっている。受電装置２０１は、無線通信装置３０１をアドバタイズするために、受電装置２０１のＲＸ制御部２０２は、ＲＸ通信部Ｃ２３１のＧＡＴＴサーバのデータベース変更イベントをクリアする。
【０３６８】
Ｓ５０２では、受電装置２０１のＲＸ制御部２０２はＲＸ通信部Ｃ２３１のＧＡＴＴサーバのデータベース変更イベントをクリアする。これにより、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。そして、ＲＸ通信部Ｃ２３１から送信するアドバタイズパケットを第４のアドバタイズパケットに設定する。
【０３６９】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０３７０】
Ｓ５０３では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ａ）のように無線通信装置３０１と受電装置２０１が離れている状態であるので、第４のアドバタイズパケットＡＤＶ＿ＩＮＤ＿４は無線通信装置３０１には届かないものとする。
【０３７１】
Ｓ５０４では、送電装置１０１のＴＸ制御部１０２はＧＥＴ＿ＡＤＶ＿ＩＮＤコマンドでＴＸ通信部Ｃ１３１を用いてアドバタイズパケットをスキャンし、スキャンの結果をＲＥＳＰＯＮＳＥとしてＴＸ制御部１０２に返す。
【０３７２】
Ｓ５０５では、送電装置１０１のＴＸ制御部１０２はＳ５０４のスキャンの結果であるＲＥＳＰＯＮＳＥより、第４のアドバタイズパケットＡＤＶ＿ＩＮＤ＿４の値を取得する。そして、第４のアドバタイズパケットが送電装置１０１に対応するサービスを含んでいることを確認する。
【０３７３】
図１５において、例えば受電装置２０１の刺激入力がなくなり、再度刺激入力が検出されるまで、Ｓ５０３、Ｓ５０４、Ｓ５０５、・・・・のシーケンスを繰り返すことになる。
【０３７４】
図１５のシーケンスでは、受電装置２０１の刺激入力がない場合は無線通信装置３０１向けのＧＡＴＴサーバのデータベースの提供を行い、刺激入力がある場合は送電装置１０１向けのＧＡＴＴサーバのデータベースの提供を行う。受電装置２０１の刺激入力によって、ＢＬＥセントラルで実施可能なサービスを自動的に選択することができるようになる。
【０３７５】
送電装置１０１と受電装置２０１が離れていると、受電装置２０１のＲＸ受電アンテナＡ２１３は送電装置１０１からの電磁波、すなわち刺激入力は受けない。受電装置２０１は無線通信装置３０１向けのＧＡＴＴサーバのデータベースの提供を行い、送電装置１０１とＢＬＥ接続は確立されても無線給電サービスは行われない。
【０３７６】
送電装置１０１と受電装置２０１が接近すると、受電装置２０１のＲＸ受電アンテナＡ２１３は送電装置１０１からの電磁波、すなわち刺激入力を受ける。受電装置２０１は送電装置１０１向けのＧＡＴＴサーバのデータベースの提供を行い、送電装置１０１とＢＬＥ接続を確立し、送電装置１０１と無線給電サービスを行うことができる。
【０３７７】
また、受電装置２０１のＲＸ電池２０３の電圧が十分ではない場合は、受電装置２０１は無線通信装置３０１のアドバタイズを行わず、無線通信装置３０１とのＢＬＥ接続を行わない。よって、受電装置２０１と無線通信装置３０１の間での無効なサービスの開始を防止することができる。
【０３７８】
次に、図１６を用いて、無線通信装置３０１と受電装置２０１の間で無線通信を行うシーケンスを説明する。
【０３７９】
図１６のシーケンスが実行されるのは、受電装置２０１のＲＸ電池２０３の電圧が第１の閾値以上であって、図１３（ｅ）のように送電装置１０１と受電装置２０１が離れており、受電装置２０１と無線通信装置３０１が接近した状態を前提とする。そして、図１６のシーケンスは上記の状態から送電装置１０１と受電装置２０１が接近した場合の動作とする。
【０３８０】
なお、実施形態１の図５から図１０の動作と同じ動作には同一の符号を付して説明は省略する。
【０３８１】
Ｓ５０２では、受電装置２０１のＲＸ制御部２０２はＲＸ電池２０３が挿入されたことをトリガーとして動作を開始する。そして、ＳＥＴ＿ＧＡＴＴ＿ＳＥＲＶＥＲ＿ＤＢ１コマンドでＲＸ通信部Ｃ２３１のＧＡＴＴサーバのデータベースを第１のサービス設定にする。また、ＲＸ通信部Ｃ２３１から送信するアドバタイズパケットを第４のアドバタイズパケットに設定する。
【０３８２】
受電装置２０１のＲＸ制御部２０２は、図１２に示す受電装置２０１のＲＸ通信部Ｃ２３１のＧＡＴＴサーバのデータベースを図１２（ａ）のように第１のサービス設定にする。
【０３８３】
Ｓ７０３では、受電装置２０１のＲＸ通信部Ｃ２３１は第４のアドバタイズパケットＡＤＶ＿ＩＮＤ＿４を送信し、ＢＬＥセントラルのアドバタイズを行う。図１３（ｂ）のように送電装置１０１と受電装置２０１が離れている状態であるので、第４のアドバタイズパケットＡＤＶ＿ＩＮＤ＿４は送電装置１０１には届かないものとする。
【０３８４】
Ｓ７０４では、無線通信装置３０１のＯＴＨ制御部３０２はＧＥＴ＿ＡＤＶ＿ＩＮＤコマンドでＯＴＨ通信部Ｃ３３１を用いてアドバタイズパケットをスキャンし、スキャンの結果をＲＥＳＰＯＮＳＥとしてＯＴＨ制御部３０２に返す。
【０３８５】
Ｓ７０５では、無線通信装置３０１のＯＴＨ制御部３０２はＳ７０４のスキャンの結果であるＲＥＳＰＯＮＳＥより、第４のアドバタイズパケットＡＤＶ＿ＩＮＤ＿４の値を取得する。そして、第４のアドバタイズパケットが無線通信装置３０１に対応するサービスを含んでいることを確認する。
【０３８６】
Ｓ７０６からＳ７０９は実施形態１の図７で説明した動作と同じである。
【０３８７】
Ｓ５０１では、送電装置１０１のＴＸ制御部１０２はＴＸ送電部Ａ１１１を制御して無線で予備電力を送電している。
【０３８８】
Ｓ１５５０では、受電装置２０１が送電装置１０１に接近し、送電装置１０１のＴＸ制御部１０２から送電する予備電力の電磁波、すなわち刺激入力があった場合は、受電装置２０１のＲＸ制御部２０２は、刺激入力があることを検出する。
【０３８９】
Ｓ１５０６では、受電装置２０１のＲＸ制御部２０２はＲＸ通信部Ｃ２３１のＧＡＴＴサーバのデータベース変更イベントを発生する。
【０３９０】
Ｓ７１０では、受電装置２０１のＲＸ制御部２０２はＲＸ通信部Ｃ２３１へＤＩＳＣＯＮＮＥＣＴ＿ＮＯＴＩＦＹコマンドで、無線通信装置３０１のＯＴＨ通信部Ｃ３３１との接続解除を通知する。
【０３９１】
ＤＩＳＣＯＮＮＥＣＴ＿ＮＯＴＩＦＹコマンドを受けた受電装置２０１のＲＸ通信部Ｃ２３１は、無線通信装置３０１のＯＴＨ通信部Ｃ３３１とＤＡＴＡ＿ＰＡＣＫＥＴを送受信する。
【０３９２】
無線通信装置３０１のＯＴＨ通信部Ｃ３３１からＤＡＴＡ＿ＰＡＣＫＥＴを受信した受電装置２０１のＲＸ通信部Ｃ２３１は無線通信装置３０１のＯＴＨ通信部Ｃ３３１へＤＡＴＡ＿ＰＡＣＫＥＴを送信する。そして、受電装置２０１のＲＸ通信部Ｃ２３１はＲＸ制御部２０２に対してＴＥＲＭＩＮＡＴＥ＿ＣＯＭ−Ｃ＿ＬＩＮＫコマンドで、無線通信装置３０１のＯＴＨ通信部Ｃ３３１と受電装置２０１のＲＸ通信部Ｃ２３１の接続解除を開始したことを通知する。
【０３９３】
受電装置２０１のＲＸ制御部２０２は、ＲＸ通信部Ｃ２３１へＲＥＳＰＯＮＳＥを返し、ＲＸ通信部Ｃ２３１は、無線通信装置３０１のＯＴＨ通信部Ｃ３３１へＤＡＴＡ＿ＰＡＣＫＥＴを送信する。
【０３９４】
ＤＡＴＡ＿ＰＡＣＫＥＴを送信した受電装置２０１のＲＸ通信部Ｃ２３１はＲＸ制御部２０２に対してＤＩＳＣＯＮＮＥＣＴ＿ＣＯＭ−Ｃコマンドで無線通信装置３０１のＯＴＨ通信部Ｃ３３１と受電装置２０１のＲＸ通信部Ｃ２３１との接続解除完了を通知する。
【０３９５】
Ｓ７１１では、無線通信装置３０１のＯＴＨ通信部Ｃ３３１は受電装置２０１のＲＸ通信部Ｃ２３１からＤＡＴＡ＿ＰＡＣＫＥＴを受信する。そして、無線通信装置３０１のＯＴＨ通信部Ｃ３３１はＯＴＨ制御部３０２に対してＤＩＳＣＯＮＮＥＣＴ＿ＮＯＴＩＦＹコマンドでＯＴＨ通信部Ｃ３３１とＲＸ通信部Ｃ２３１の接続解除開始通知を取得する。
【０３９６】
無線通信装置３０１のＯＴＨ制御部３０２は、ＴＥＲＭＩＮＡＴＥ＿ＣＯＭ−Ｃ＿ＣＯＮＮＥＣＴコマンドでＯＴＨ通信部Ｃ３３１を用いて受電装置２０１のＲＸ通信部Ｃ２３１との接続解除を開始する。
【０３９７】
ＴＥＲＭＩＮＡＴＥ＿ＣＯＭ―Ｃ＿ＬＩＮＫコマンドを受けた無線通信装置３０１のＯＴＨ通信部Ｃ３３１は、受電装置２０１のＲＸ通信部Ｃ２３１とＤＡＴＡ＿ＰＡＣＫＥＴを送受信する。
【０３９８】
ＤＡＴＡ＿ＰＡＣＫＥＴを受信した無線通信装置３０１のＯＴＨ通信部Ｃ３３１はＯＴＨ制御部３０２に対しＤＩＳＣＯＮＮＥＣＴ＿ＣＯＭ−Ｃコマンドで受電装置２０１のＯＴＨ通信部Ｃ３３１と受電装置２０１のＲＸ通信部Ｃ２３１との接続解除完了を通知する。
【０３９９】
Ｓ６０７では、受電装置２０１のＲＸ制御部２０２はＳＥＴ＿ＧＡＴＴ＿ＳＥＲＶＥＲ＿ＤＢ２コマンドでＲＸ通信部Ｃ２３１のＧＡＴＴサーバのデータベースを第２のサービス設定にする。そして、ＲＸ通信部Ｃ２３１から送信するアドバタイズパケットを第４のアドバタイズパケットに設定する。
【０４００】
受電装置２０１のＲＸ制御部２０２は、図１２に示す受電装置２０１のＲＸ通信部Ｃ２３１のＧＡＴＴサーバのデータベースを図１２（ｂ）のように第２のサービス設定にする。
【０４０１】
Ｓ１５０７では、受電装置２０１のＲＸ制御部２０２はＳＥＴ＿ＧＡＴＴ＿ＳＥＲＶＥＲ＿ＤＢ２コマンドでＲＸ通信部Ｃ２３１のＧＡＴＴサーバのデータベースを第２のサービス設定にする。そして、ＲＸ通信部Ｃ２３１から送信するアドバタイズパケットを第４のアドバタイズパケットに設定する。
【０４０２】
受電装置２０１のＲＸ制御部２０２は、図１２に示す受電装置２０１のＲＸ通信部Ｃ２３１のＧＡＴＴサーバのデータベースを図１２（ｂ）のように第２のサービス設定にする。
【０４０３】
その後、図１６において、図６と図８で説明した各動作に対応するシーケンスを繰り返すことになる。
【０４０４】
図１６のシーケンスでは、図１５のシーケンスと同様に、受電装置２０１の刺激入力がない場合は無線通信装置３０１向けのＧＡＴＴサーバのデータベースの提供を行い、刺激入力がある場合は送電装置１０１向けのＧＡＴＴサーバのデータベースの提供を行う。受電装置２０１の刺激入力によって、ＢＬＥセントラルで実施可能なサービスを自動的に選択することができるようになる。
【０４０５】
無線通信装置３０１と受電装置２０１が接近していて、送電装置１０１と受電装置２０１が離れていると、受電装置２０１のＲＸ受電アンテナＡ２１３は送電装置１０１からの電磁波、すなわち刺激入力は受けない。受電装置２０１は無線通信装置３０１向けのＧＡＴＴサーバのデータベースの提供を行い、無線通信装置３０１とＢＬＥ接続を確立しハンドオーバーサービスを行うことができる。
【０４０６】
送電装置１０１と受電装置２０１が離れていると、受電装置２０１のＲＸ受電アンテナＡ２１３は送電装置１０１からの電磁波、すなわち刺激入力は受けない。受電装置２０１は無線通信装置３０１向けのＧＡＴＴサーバのデータベースの提供を行い、送電装置１０１とＢＬＥ接続は確立されても無線給電サービスは行われない。
【０４０７】
送電装置１０１と受電装置２０１が接近すると、受電装置２０１のＲＸ受電アンテナＡ２１３は送電装置１０１からの電磁波、すなわち刺激入力を受ける。受電装置２０１は送電装置１０１向けのＧＡＴＴサーバのデータベースの提供を行い、送電装置１０１とＢＬＥ接続を確立し、送電装置１０１と無線給電サービスを行うことができる。
【０４０８】
受電装置２０１のＲＸ電池２０３の電圧が十分ではなく、ＲＸ制御部２０２およびＲＸ通信部Ｃ２３１の正常な動作ができない場合は、受電装置２０１はＢＬＥセントラルのアドバタイズを行わない。
【０４０９】
受電装置２０１は送電装置１０１からの予備電力の電磁波をＲＸ受電アンテナＡ２１３で受電した場合、予備電力の電磁波を電力として送電装置１０１向けのＧＡＴＴサーバのデータベースの提供を行う。そして、送電装置１０１とＢＬＥ接続が確立され、送電装置１０１と無線給電サービスを行うことができる。
【０４１０】
受電装置２０１のＲＸ電池２０３の電圧が第１の閾値未満であって、図１３（ｃ）のように送電装置１０１と受電装置２０１と無線通信装置３０１が接近している状態から動作を開始した場合は、図９および図１０のシーケンスと同じ動作となる。
【０４１１】
［実施形態３］次に、図１７を用いて、実施形態３を説明する。
【０４１２】
実施形態１では、受電装置２０１の電池電圧の変化によって受電装置２０１のＧＡＴＴサーバのデータベースのＳｅｒｖｉｃｅを変更する処理を説明した。
【０４１３】
実施形態２では、受電装置２０１が送電装置１０１から受ける無線電力の電磁波によって、受電装置２０１のＧＡＴＴサーバのデータベースのＳｅｒｖｉｃｅを変更する処理を説明した。
【０４１４】
実施形態３では、受電装置２０１の電池電圧の変化と、受電装置２０１が送電装置１０１から受ける無線電力の電磁波によって受電装置２０１のＧＡＴＴサーバのデータベースのＳｅｒｖｉｃｅを変更する処理を説明する。
【０４１５】
本実施形態の送電装置１０１、受電装置２０１、無線通信装置３０１の構成は、実施形態１で説明した図１、図２、図３と同様である。
【０４１６】
また、本実施形態の受電装置２０１から送信するアドバタイズパケットのデータ例は図１１と同様であり、受電装置２０１のＧＡＴＴサーバのデータベース例は図１２と同様である。
【０４１７】
以下、図１７を用いて、受電装置２０１の電池電圧の変化と、受電装置２０１が送電装置１０１から受ける無線電力の電磁波によって受電装置２０１のＧＡＴＴサーバのデータベースのＳｅｒｖｉｃｅを変更する処理を説明する。
【０４１８】
図１７のフローチャートは受電装置２０１のＲＸ電池２０３が挿入されたことをトリガーとして開始される。
【０４１９】
なお、図１７のフローチャートは、図４のＳ４０２の処理と図１４のＳ１４０１の処理を組み合わせたものである。よって、以下では、相違点を中心に説明を行う。
【０４２０】
Ｓ４０１では、受電装置２０１のＲＸ制御部２０２はＲＸ電池２０３の電圧が第１の閾値以上であるか否かを判定する。
【０４２１】
Ｓ４０１で、受電装置２０１のＲＸ制御部２０２はＲＸ電池２０３の電圧が第１の閾値以上であると判定した場合、処理はＳ４０２へ進む。
【０４２２】
Ｓ４０２では、受電装置２０１のＲＸ制御部２０２はＲＸ電池２０３の電圧が第２の閾値以上であるか否かを判定する。
【０４２３】
Ｓ４０２で、受電装置２０１のＲＸ制御部２０２はＲＸ電池２０３の電圧が第２の閾値以上であると判定した場合、処理はＳ１４０１へ進む。
【０４２４】
Ｓ１４０１では、受電装置２０１のＲＸ制御部２０２は刺激入力があるか否かを判定する。
【０４２５】
Ｓ１４０１で、受電装置２０１のＲＸ制御部２０２は刺激入力がないと判定した場合、処理はＳ４２４へ進み、以降、図４で説明した処理を実施する。また、Ｓ１４０１で、受電装置２０１のＲＸ制御部２０２は刺激入力があると判定した場合、処理はＳ４０５へ進み、以降、図４で説明した処理を実施する。また、Ｓ４０２で、受電装置２０１のＲＸ制御部２０２はＲＸ電池２０３の電圧が第２の閾値以上ではない判定した場合、処理はＳ４０５へ進み、以降、図４で説明した処理を実施する。
【０４２６】
受電装置２０１が図１７の処理を実施中における、図１３（ａ）〜（ｅ）に示す各状態での送電装置１０１、受電装置２０１および無線通信装置３０１の動作は、実施形態１と２を組み合わせたものとなる。
【０４２７】
具体的には、実施形態１の図５から図１０で説明した動作、および実施形態２の図１５から図１６で説明した動作に以下の動作を組み合わせた動作が実施できるようになる。
【０４２８】
Ｓ６５０では、ＲＸ電池２０３の電圧が第２の閾値未満であることを検出。
【０４２９】
Ｓ１０５０では、ＲＸ受電アンテナＡ２１３で受電した電磁波での起動。
【０４３０】
Ｓ１５５０では、刺激入力があることの検出。
【０４３１】
Ｓ６０６、Ｓ１５０６では、ＧＡＴＴサーバのデータベース変更イベントの発生。
【０４３２】
Ｓ６２３では、ＧＡＴＴサーバのデータベース変更イベントのクリア。
【０４３３】
Ｓ５０２、Ｓ６０７、Ｓ１５０７では、ＧＡＴＴサーバのデータベースの設定。
【０４３４】
本実施形態は、受電装置２０１のＲＸ電池２０３の電圧が第２の閾値以上または刺激入力がない場合は無線通信装置３０１向けのＧＡＴＴサーバのデータベースを提供する。
【０４３５】
ＲＸ電池２０３の電圧が第２の閾値未満または刺激入力がある場合は送電装置１０１向けのＧＡＴＴサーバのデータベースの提供を行う。受電装置２０１のＲＸ電池２０３の電圧と刺激入力とによって、セントラルの実施可能なサービスの実施を自動的に選択することができるようになる。
【０４３６】
［実施形態４］次に、図１８を用いて、実施形態４を説明する。
【０４３７】
実施形態１では、受電装置２０１の電池電圧の変化によって受電装置２０１のＧＡＴＴサーバのデータベースのＳｅｒｖｉｃｅを変更する処理を説明した。
【０４３８】
実施形態２では、受電装置２０１が送電装置１０１から受ける無線電力の電磁波によって受電装置２０１のＧＡＴＴサーバのデータベースのＳｅｒｖｉｃｅを変更する処理を説明した。
【０４３９】
実施形態３では、受電装置２０１の電池電圧の変化と、受電装置２０１が送電装置１０１から受ける無線電力の電磁波によって受電装置２０１のＧＡＴＴサーバのデータベースのＳｅｒｖｉｃｅを変更する処理を説明した。
【０４４０】
実施形態４では、実施形態１から３とは異なり、受電装置２０１のＧＡＴＴサーバのデータベースのＳｅｒｖｉｃｅ ＶＡＬＵＥ（機能情報の設定値）を変更する処理を説明する。
【０４４１】
実施形態１から３の各シーケンスでは、以下のいずれかの動作でＧＡＴＴサーバのデータベース変更イベントの発生、イベントのクリア、データベースの設定を行った。
【０４４２】
Ｓ６０６、Ｓ１５０６では、ＧＡＴＴサーバのデータベース変更イベントの発生。
【０４４３】
Ｓ６２３では、ＧＡＴＴサーバのデータベース変更イベントのクリア。
【０４４４】
Ｓ５０２、Ｓ６０７、Ｓ１５０７では、ＧＡＴＴサーバのデータベースの設定。
【０４４５】
それに対し、本実施形態では、ＧＡＴＴサーバのデータベース変更イベントの発生、イベントのクリアに応じて、ＧＡＴＴサーバのデータベース設定を行う際に、サービスセットを変更せず、サービスに対応するＶＡＬＵＥ設定を変更するものである。
【０４４６】
本実施形態の、受電装置２０１のＲＸ通信部Ｃ２３１のＧＡＴＴサーバのデータベースの第３のＶＡＬＵＥ設定を図１８（ａ）、第４のＶＡＬＵＥ設定を図１８（ｂ）に示す。
【０４４７】
ＧＡＴＴサーバのデータベースの第３のＶＡＬＵＥ設定と第４のＶＡＬＵＥ設定は、受電装置２０１のＲＸ通信部Ｄ２４１と無線通信装置３０１のＯＴＨ通信部Ｄ３４１とが無線通信接続を開始するハンドオーバーサービスを行うためのサービス設定を含む。
【０４４８】
そして、ＧＡＴＴサーバのデータベースの第３のＶＡＬＵＥ設定と、第４のＶＡＬＵＥ設定は、いずれも送電装置１０１と受電装置２０１の間で、無線給電と制御データ通信とを並行して行う無線給電サービスを行うためのサービス設定も含む。
【０４４９】
図１８（ａ）と図１８（ｂ）のＧＡＴＴサーバのデータベースには、下記４種類のＳｅｒｖｉｃｅを記憶するものとする。
【０４５０】
Ｓｅｒｖｉｃｅ４：ＵＵＩＤ４に対応した複数のＣｈａｒａｃｔｅｒｉｓｔｉｃのＵＵＩＤと各々のＵＵＩＤに対応するＶＡＬＵＥ。
【０４５１】
Ｓｅｒｖｉｃｅ１：ＵＵＩＤ１に対応した複数のＣｈａｒａｃｔｅｒｉｓｔｉｃのＵＵＩＤと各々のＵＵＩＤに対応するＶＡＬＵＥ。
【０４５２】
Ｓｅｒｖｉｃｅ２：ＵＵＩＤ２に対応した複数のＣｈａｒａｃｔｅｒｉｓｔｉｃのＵＵＩＤと各々のＵＵＩＤに対応するＶＡＬＵＥ。
【０４５３】
Ｓｅｒｖｉｃｅ３：ＵＵＩＤ３に対応した複数のＣｈａｒａｃｔｅｒｉｓｔｉｃのＵＵＩＤと各々のＵＵＩＤに対応するＶＡＬＵＥ。
【０４５４】
Ｓｅｒｖｉｃｅ４は、例えばデバイス情報サービスである。Ｓｅｒｖｉｃｅ４のＣｈａｒａｃｔｅｒｉｓｔｉｃ ＶＡＬＵＥは、例えば“製造者名”、“モデル名”、“シリアルＮｏ”、“モデル名”、“ハードウェアＲｅｖ”、“ファームウェアＲｅｖ”、“システムＩＤ”である。
【０４５５】
Ｓｅｒｖｉｃｅ１は、例えば前述のハンドオーバーサービスである。Ｓｅｒｖｉｃｅ１のＣｈａｒａｃｔｅｒｉｓｔｉｃ ＶＡＬＵＥは、例えば“画像転送可否フラグ”、“ＳＳＩＤ”、“ＰＡＳＳＷＯＲＤ”、”サービス実施可否フラグ”である。
【０４５６】
Ｓｅｒｖｉｃｅ２は、例えば前述の無線給電サービスである。Ｓｅｒｖｉｃｅ２のＣｈａｒａｃｔｅｒｉｓｔｉｃ ＶＡＬＵＥは、例えば“装置名称”、”電力受電可否フラグ”、“電池電圧”、”充電完了フラグ”、“充電完了電圧”である。さらに例えば、“電池残量レベル”、“最大受電電力”、“送受電要求電力”、”サービス実施可否フラグ”である。
【０４５７】
Ｓｅｒｖｉｃｅ３は、例えばバッテリーサービスである。Ｓｅｒｖｉｃｅ３のＣｈａｒａｃｔｅｒｉｓｔｉｃ ＶＡＬＵＥは、例えば“電池電圧”である。
【０４５８】
第３のＶＡＬＵＥ設定と第４のＶＡＬＵＥ設定の違いは、Ｓｅｒｖｉｃｅ１のＣｈａｒａｃｔｅｒｉｓｔｉｃのＶＡＬＵＥ”サービス実施可否フラグ”と、Ｓｅｒｖｉｃｅ２のＣｈａｒａｃｔｅｒｉｓｔｉｃ ＶＡＬＵＥ”サービス実施可否フラグ”である。
【０４５９】
第３のＶＡＬＵＥ設定では、ハンドオーバーサービスであるＳｅｒｖｉｃｅ１のＣｈａｒａｃｔｅｒｉｓｔｉｃ ＶＡＬＵＥ”サービス実施可否フラグ”は“ＹＥＳ”である。無線給電サービスであるＳｅｒｖｉｃｅ２のＣｈａｒａｃｔｅｒｉｓｔｉｃ ＶＡＬＵＥ”サービス実施可否フラグ”は“ＮＯ”である。
【０４６０】
第４のＶＡＬＵＥ設定では、ハンドオーバーサービスであるＳｅｒｖｉｃｅ１のＣｈａｒａｃｔｅｒｉｓｔｉｃ ＶＡＬＵＥ”サービス実施可否フラグ”は“ＮＯ”である。無線給電サービスであるＳｅｒｖｉｃｅ２のＣｈａｒａｃｔｅｒｉｓｔｉｃ ＶＡＬＵＥ”サービス実施可否フラグ”は“ＹＥＳ”である。
【０４６１】
本実施形態は、実施形態１から３のいずれかの動作でＧＡＴＴサーバのデータベース変更イベントの発生、イベントのクリアに応じて、データベースの設定を行う際の処理を以下のように置き換えて実施する。
【０４６２】
Ｓ６０６、Ｓ１５０６では、ＧＡＴＴサーバのデータベース変更イベントの発生。
【０４６３】
Ｓ６２３では、ＧＡＴＴサーバのデータベース変更イベントのクリア。
【０４６４】
Ｓ５０２、Ｓ６０７、Ｓ１５０７では、ＧＡＴＴサーバのデータベースの設定。
（置き換え前）ＧＡＴＴサーバのデータベースを第１のサービス設定にする：（置き換え後）ＧＡＴＴサーバのデータベースのＶＡＬＵＥを第３のＶＡＬＵＥ設定にする。
【０４６５】
（置き換え前）ＧＡＴＴサーバのデータベースを第２のサービス設定にする：（置き換え後）ＧＡＴＴサーバのデータベースのＶＡＬＵＥを第４のＶＡＬＵＥ設定にする。
【０４６６】
また、実施形態１から３のいずれかで説明したシーケンスにおいて、ＳＥＲＶＩＣＥ＿ＤＩＳＣＯＶＥＲＹコマンドで受電装置２０１のサービスセットを取得し、対応するサービスセットであるか否かの判定処理は以下のように置き換えて実施する。
【０４６７】
Ｓ６５３、Ｓ７５３では、ＧＡＴＴサーバのデータベースのサービスセットが、自機に対応するサービスセットであることを確認。
【０４６８】
Ｓ５１０、Ｓ８５３では、ＧＡＴＴサーバのデータベースのサービスセットが、自機に対応するサービスセットでないことを確認。
【０４６９】
（置き換え前）対応するサービスセットであることを確認する：（置き換え後）ＧＡＴＴサーバのデータベースのＶＡＬＵＥが、自機に対応するＶＡＬＵＥであることを確認する。
【０４７０】
（置き換え前）対応するサービスセットでないことを確認する：（置き換え後）ＧＡＴＴサーバのデータベースのＶＡＬＵＥが、自機に対応するＶＡＬＵＥでないことを確認する。
【０４７１】
本実施形態は、実施形態１から３のいずれかで提供するＧＡＴＴサーバのデータベースのＶＡＬＵＥを変更することで、実施形態１から３と同じ動作および効果を得ることができる。
【０４７２】
［実施形態５］次に、図１９から図２０を用いて、実施形態５を説明する。
【０４７３】
実施形態１では、受電装置２０１の電池電圧の変化によって受電装置２０１のＧＡＴＴサーバのデータベースのＳｅｒｖｉｃｅを変更する処理を説明した。
【０４７４】
実施形態２では、受電装置２０１が送電装置１０１から受ける無線電力の電磁波によって受電装置２０１のＧＡＴＴサーバのデータベースのＳｅｒｖｉｃｅを変更する処理を説明した。
【０４７５】
実施形態３では、受電装置２０１から送信するアドバタイズパケットを変更しないで、受電装置２０１のＧＡＴＴサーバのデータベースのＳｅｒｖｉｃｅを変更する処理を説明した。
【０４７６】
実施形態４では、受電装置２０１のＧＡＴＴサーバのデータベースのＳｅｒｖｉｃｅ ＶＡＬＵＥを変更する処理を説明した。
【０４７７】
実施形態５では、実施形態１から４を組み合わせた実施形態として、受電装置２００１の電池電圧の変化によって、受電装置２００１が送電装置１０１から受ける無線電力の電磁波によって受電装置２００１により発生し利用可能な電力を減少する処理を説明する。
【０４７８】
図２０は本実施形態の受電装置２００１の構成例を示すブロック図である。なお、実施形態１で説明した受電装置２０１と同じ構成には同一の符号を付して説明は省略する。
【０４７９】
図２０では、本実施形態の説明に不要なブロックへの電源接続と、各ブロックの入力および出力キャパシタの記載は省略している。また、以下では、本実施形態の説明に不要なブロックと動作の詳細な説明は省略している。
【０４８０】
図２０において、ＲＸ電圧検出回路Ｃ２０１１はＲＸ電池２０３の電圧を検出する電圧検出回路であり、電圧検出閾値Ｖｔｈ２未満の場合は検出信号を出力せず、電圧検出閾値Ｖｔｈ２以上の場合は検出信号を出力する。なお、ＲＸ電圧検出回路Ｃ２０１１の電圧検出閾値Ｖｔｈ２の値は、第１の閾値と同じであってもよいし、それ以上の値であってもよい。
【０４８１】
ＲＸＡＮＴ負荷回路２０１２はＲＸ受電アンテナＡ２１３に発生した電圧とＧＮＤ間に接続される回路であり、ＲＸ電圧検出回路Ｃ２０１１の検出信号、およびＲＸ制御部２０２によって負荷をＯＮ／ＯＦＦ制御可能である。ＲＸＡＮＴ負荷回路２０１２は、ＲＸ電圧検出回路Ｃ２０１１の検出信号およびＲＸ制御部２０２の制御信号なしでＯＮ、ＲＸ電圧検出回路Ｃ２０１１の検出信号およびＲＸ制御部２０２の制御信号ありでＯＦＦである常時ＯＮの負荷であるとする。
【０４８２】
本実施形態の送電装置１０１および無線通信装置３０１の構成は、実施形態１で説明した図１、図３と同様である。また、本実施形態の受電装置２０１から送信するアドバタイズパケットのデータは図１１と同様であり、受電装置２０１のＧＡＴＴサーバのデータベース例は図１２と同様である。
【０４８３】
以下、図１９を用いて、受電装置２００１の電池電圧の変化によって、受電装置２００１が送電装置１０１から受ける無線電力の電磁波によって受電装置２００１により発生し利用可能な電力を減少する処理を説明する。
【０４８４】
図１９のフローチャートは受電装置２００１のＲＸ電池２０３が挿入されたことをトリガーとして開始される。
【０４８５】
なお、図１９のフローチャートは、図１７にＳ１９０１、Ｓ１９０２、Ｓ１９０３の処理が追加された点が異なっている。よって、以下では、相違点を中心に説明を行う。なお、以下のＳ１９０１、Ｓ１９０２、Ｓ１９０３の各処理は、図４および図１４のフローチャートにも適用可能な処理である。
【０４８６】
Ｓ４０１では、受電装置２００１のＲＸ制御部２０２はＲＸ電池２０３の電圧が第１の閾値以上であるか否かを判定する。Ｓ４０１で、受電装置２００１のＲＸ制御部２０２がＲＸ電池２０３の電圧が第１の閾値以上でないと判定した場合、処理はＳ１９０１へ進む。
【０４８７】
Ｓ１９０１では、受電装置２００１のＲＸ制御部２０２は、ＲＸＡＮＴ負荷回路２０１２をＯＮにして、処理はＳ４１３へ進み、以降、図４で説明した処理を実施する。
【０４８８】
Ｓ４１１では、受電装置２００１のＲＸ制御部２０２は、ＢＬＥセントラルとの通信を行い、処理はＳ１９０２へ進む。
【０４８９】
Ｓ１９０２では、受電装置２００１のＲＸ制御部２０２は、ＢＬＥセントラルである送電装置１０１との無線給電サービスのシーケンスを開始するか否かを判定する。
【０４９０】
Ｓ１９０２で、受電装置２００１のＲＸ制御部２０２は、無線給電サービスのシーケンスを開始すると判定した場合、処理はＳ１９０３へ進む。
【０４９１】
Ｓ１９０３では、受電装置２００１のＲＸ制御部２０２は、ＲＸＡＮＴ負荷回路２０１２をＯＦＦにして、処理はＳ４１２へ進み、以降、図４で説明した処理を実施する。
【０４９２】
Ｓ１９０２で、受電装置２００１のＲＸ制御部２０２が無線給電サービスのシーケンスを開始しないと判定した場合、処理はＳ４１２へ進み、以降、図４で説明した処理を実施する。
【０４９３】
本実施形態のＲＸＡＮＴ負荷回路２０１２が機能するのは、実施形態１から４で説明したシーケンスにおける以下の動作を行う場合である。
【０４９４】
Ｓ１０５０で、ＲＸ受電アンテナＡ２１３で受電した電磁波をＲＸ制御部２０２とＲＸ通信部Ｃ２３１の動作電力として起動する。
【０４９５】
Ｓ１０５０は、ＲＸ電池２０３の電圧が第１の閾値以上でない場合であり、ＲＸ受電アンテナＡ２１３で受電した電磁波をＲＸ制御部２０２とＲＸ通信部Ｃ２３１の動作電力として起動する。
【０４９６】
そのため、送電装置１０１と受電装置２００１が接近する位置関係になることが必要である。送電装置１０１と受電装置２００１が接近する位置関係となった後、送電装置１０１と受電装置２００１とは無線給電サービスを実施し、受電装置２００１は送電装置１０１の無線電力を受電してＲＸ電池２０３を充電する。
【０４９７】
送電装置１０１と受電装置２００１の位置関係によっては受電装置２００１は送電装置１０１が送電する無線電力を高い効率で受電できない場合がある。例えば送電装置１０１のＴＸ送電アンテナＡ１１３と受電装置２００１のＲＸ受電アンテナＡ２１３の結合や共鳴状態により受電装置２００１は送電装置１０１が送電する無線電力を高い効率で受電できない場合がある。
【０４９８】
無線電力を高い効率で受電できない原因は、送電装置１０１のＴＸ送電アンテナＡ１１３と受電装置２００１のＲＸ受電アンテナＡ２１３の配置のずれである場合が多い。このため、配置のずれを少なくするように送電装置１０１と受電装置２００１の配置を給電効率が高くなる位置関係となるように誘導する必要がある。
【０４９９】
本実施形態では、ＲＸ電池２０３の電圧が十分でない場合、例えばＲＸ電圧検出回路Ｃ２０１１の電圧検出閾値Ｖｔｈ２未満、またはＲＸ電池２０３の電圧が第１の閾値未満の場合に、ＲＸＡＮＴ負荷回路２０１２をＯＮにする。
【０５００】
ＲＸＡＮＴ負荷回路２０１２がＯＮの場合、受電装置２００１が送電装置１０１から受ける無線電力の電磁波によって受電装置２００１のＲＸ受電アンテナＡ２１３に発生し利用可能となる電力が減少する。
【０５０１】
ＲＸＡＮＴ負荷回路２０１２をＯＮにして利用可能となる電力を減少させた状態において、受電装置２００１が送電装置１０１から受ける無線電力の電磁波が少ない配置であれば、ＲＸ制御部２０２とＲＸ通信部Ｃ２３１の動作電力は足りず起動しない。よって、ＲＸ制御部２０２とＲＸ通信部Ｃ２３１が起動しないため、受電装置２００１は送電装置１０１のアドバタイズを行わず、送電装置１０１とＢＬＥ接続が確立されず、送電装置１０１と無線給電サービスは行われない。
【０５０２】
ＲＸＡＮＴ負荷回路２０１２をＯＮにして利用可能となる電力を減少させた状態において、受電装置２００１が送電装置１０１から受ける無線電力の電磁波が多い位置関係であれば、ＲＸ制御部２０２とＲＸ通信部Ｃ２３１の動作電力は足りて起動する。よって、ＲＸ制御部２０２とＲＸ通信部Ｃ２３１が起動し、受電装置２００１は送電装置１０１のアドバタイズを行い、送電装置１０１とＢＬＥ接続が確立され、送電装置１０１と無線給電サービスを行うことができる。
【０５０３】
上述のように、ＲＸＡＮＴ負荷回路２０１２をＯＮにして利用可能となる電力を減少させた状態においては、受電装置２００１が送電装置１０１から受ける無線電力の電磁波が多い位置関係となる。すなわち、無線電力を高い効率で受電できる結合や共鳴状態のよい位置関係に自ずと誘導可能となる。
【０５０４】
送電装置１０１とＢＬＥ接続が確立され、送電装置１０１と無線給電サービスを開始した後は、受電装置２００１のＲＸ制御部２０２によってＲＸＡＮＴ負荷回路２０１２をＯＦＦに制御すれば、無線給電サービスに影響は与えない。
【０５０５】
本実施形態によれば、送電装置１０１に表示部がなく、受電装置２００１のＲＸ電池２０３の電圧が十分ではなく、ＲＸ表示部Ａ２５４に誘導表示ができない場合であっても、受電装置２００１を給電効率の高い位置関係に誘導するための手段として有効である。
【０５０６】
［他の実施形態］
上述した実施形態１から５では、受電装置２０１および受電装置２００１のＲＸ通信部Ｂ２２１は、近接無線通信規格であるＩＳＯ／ＩＥＣ２１４８１に対応している非接触ＩＣを例として説明した。しかしながら、本実施形態として適用可能な近接無線通信はＩＳＯ／ＩＥＣ２１４８１に限ったものではない。例えば、他の近接無線通信規格であるＩＳＯ／ＩＥＣ１４４４３、ＩＳＯ／ＩＥＣ１５６９３のプロトコルを用いて無線通信可能な非接触ＩＣでも適用可能である。
【０５０７】
上記通信規格に対応する場合、例えば、受電装置２０１および受電装置２００１のＲＸ通信部Ｂ２２１は非接触ＩＣの、無線通信装置３０１のＯＴＨ通信部Ｂ３２１が非接触ＩＣリーダライタの機能を有することになる。
【０５０８】
上述した実施形態１から５では、受電装置２０１および受電装置２００１のＲＸ通信部Ｃ２３１は、近距離無線通信規格であるＢｌｕｅｔｏｏｔｈ Ｌｏｗ Ｅｎｅｒｇｙ（登録商標）を用いて通信を行うことを例として説明した。しかしながら、本実施形態として適用可能な無線通信はＢｌｕｅｔｏｏｔｈ Ｌｏｗ Ｅｎｅｒｇｙ（登録商標）に限ったものではない。例えば、ＷＬＡＮ規格であるＩＥＥＥ８０２．１１および近距離無線規格であるＩＥＥＥ８０２．１５．１であってもよい。上記通信規格に対応する場合、受電装置２０１および受電装置２００１のＲＸ通信部Ｄ２４１が上記通信規格の通信機能を有することになる。すなわち、本実施形態では、受電装置２０１、２００１が送電装置１０１にアドバタイズパケットを送信し、送電装置１０１が受電装置２０１、２００１と接続要求を行って通信を確立するのであれば、無線で電力を送受電するための手段はいかなるものでもよい。
【０５０９】
上述した実施形態１から５では、送電装置１０１のＴＸ送電アンテナＡ１１３および受電装置２０１のＲＸ受電アンテナＡ２１３は、ＨＦ帯である１３．５６ＭＨｚまたは６．７８ＭＨｚ付近に共振周波数を有するアンテナとして用いる例を説明した。しかしながら、本実施形態として適用可能なＴＸ送電アンテナＡ１１３およびＲＸ受電アンテナＡ２１３の共振周波数はＨＦ帯である１３．５６ＭＨｚまたは６．７８ＭＨｚ付近に限ったものでない。例えば、送電装置１０１と受電装置２０１、２００１とで無線で電力を送受電可能なＴＸ送電アンテナＡ１１３およびＲＸ受電アンテナＡ２１３であれば、いかなる共振周波数であってもよい。
【０５１０】
また、本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０５１１】
１０１…送電装置、１０２…ＴＸ制御部、１１３…ＴＸ送電アンテナ、１３３…ＴＸ通信アンテナ、２０１、２００１…受電装置、２０２…ＲＸ制御部、２０３…ＲＸ電池、２１３…ＲＸ受電アンテナ、２２３、２３３、２４３…ＲＸ通信アンテナ
【図１】
2018074839.tif 000003
【図２】
2018074839.tif 000004
【図３】
2018074839.tif 000005
【図４】
2018074839.tif 000006
【図５】
2018074839.tif 000007
【図６】
2018074839.tif 000008
【図７】
2018074839.tif 000009
【図８】
2018074839.tif 000010
【図９】
2018074839.tif 000011
【図１０】
2018074839.tif 000012
【図１１】
2018074839.tif 000013
【図１２】
2018074839.tif 000014
【図１３】
2018074839.tif 000015
【図１４】
2018074839.tif 000016
【図１５】
2018074839.tif 000017
【図１６】
2018074839.tif 000018
【図１７】
2018074839.tif 000019
【図１８】
2018074839.tif 000020
【図１９】
2018074839.tif 000021
【図２０】
2018074839.tif 000022